(57)【特許請求の範囲】
【請求項１】
遊技者が所定の遊技を行い、入賞に応じて景品遊技媒体を払い出す遊技機であって、
ＲＡＭを内蔵し、遊技の進行を制御する遊技制御用マイクロコンピュータが搭載された遊技制御基板と、
ＲＡＭを内蔵し、入賞に応じて前記遊技制御用マイクロコンピュータから出力される払出制御コマンドにもとづいて景品遊技媒体の払出処理を行う払出制御用マイクロコンピュータが搭載された払出制御基板と、
遊技機への電力供給が停止していても前記遊技制御用マイクロコンピュータおよび前記払出制御用マイクロコンピュータのＲＡＭの記憶内容を所定期間保持させることが可能な記憶内容保持手段と、
遊技機で使用される所定の電源の状態を監視して電源断の発生を検出したときに電力供給停止時信号を出力する電源監視手段と、
前記マイクロコンピュータに供給される電源がマイクロコンピュータが動作可能な電圧レベル以上の電圧レベルとなったことを条件に前記マイクロコンピュータを起動させるリセット解除信号を出力するリセット手段とを備え、
前記遊技制御用マイクロコンピュータおよび前記払出制御用マイクロコンピュータは、前記リセット手段からのリセット解除信号の入力にもとづいて動作可能状態となり、
前記払出制御用マイクロコンピュータが動作可能状態となる時期よりも遅い時期に前記遊技制御用マイクロコンピュータが動作可能状態となり、
前記遊技制御用マイクロコンピュータおよび前記払出制御用マイクロコンピュータは、前記電源監視手段からの電力供給停止時信号の入力に応じて、前記ＲＡＭの記憶内容を保持させるための電力供給停止時処理を実行し、電力供給が開始されたときに前記ＲＡＭの記憶内容にもとづいて制御状態を復旧させる制御状態復旧処理を実行し、
前記電源監視手段は前記遊技制御基板の前記遊技制御用マイクロコンピュータと前記払出制御基板の前記払出制御用マイクロコンピュータとに接続され、単一の前記電源監視手段から前記遊技制御用マイクロコンピュータと前記払出制御用マイクロコンピュータとに電力供給停止時信号が出力される
ことを特徴とする遊技機。
【請求項２】
遊技機で使用される電源電圧を作成する電源基板を備え、
リセット手段は電源基板に搭載される
請求項１記載の遊技機。
【請求項３】
遊技媒体の払い出しを行う払出手段と、該払出手段から払い出された遊技媒体を検出する遊技媒体検出手段とを備え、
払出制御用マイクロコンピュータは、電力供給停止時信号が出力された場合に、前記遊技媒体検出手段による前記払出手段から払い出された遊技媒体を検出する払出検出処理を所定期間実行した後、制御状態の保存に関わる電力供給停止時処理を行う
請求項１または請求項２記載の遊技機。
【請求項４】
遊技機への電力供給が停止しても、所定期間において遊技媒体検出手段を駆動可能な電力を供給可能な補助駆動電源を備えた
請求項３記載の遊技機。
【請求項５】
遊技制御用マイクロコンピュータおよび払出制御用マイクロコンピュータは、電力供給停止時処理を行った後に待機状態となり、
電力供給停止時信号が出力された後の所定の待機期間経過後に電力供給が停止していない場合に前記待機状態から復帰させるための復帰信号を前記遊技制御用マイクロコンピュータおよび前記払出制御用マイクロコンピュータに向けて出力可能な復帰信号出力手段を備えた
請求項１ないし請求項４記載の遊技機。
【請求項６】
リセット手段からの信号および復帰信号出力手段からの復帰信号は、マイクロコンピュータのリセット信号入力部に入力される
請求項５記載の遊技機。
【請求項７】
復帰信号出力手段からの復帰信号は払出制御用マイクロコンピュータに出力された後に遊技制御用マイクロコンピュータに出力される
請求項５または請求項６記載の遊技機。
【発明の詳細な説明】
【０００１】
【発明の属する技術分野】
本発明は、本発明は、遊技者の操作に応じて遊技が行われるパチンコ遊技機、コイン遊技機、スロット機等の遊技機に関し、特に、遊技盤における遊技領域において遊技者の操作に応じて遊技が行われる遊技機に関する。
【０００２】
【従来の技術】
遊技機の一例として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、表示状態が変化可能な可変表示部が設けられ、可変表示部の表示結果があらかじめ定められた特定の表示態様となった場合に所定の遊技価値を遊技者に与えるように構成されたものがある。
【０００３】
遊技価値とは、遊技機の遊技領域に設けられた可変入賞球装置の状態が打球が入賞しやすい遊技者にとって有利な状態になることや、遊技者にとって有利な状態となるための権利を発生させたりすることや、景品遊技媒体払出の条件が成立しやすくなる状態になることである。
【０００４】
特別図柄を表示する可変表示部を備えた第１種パチンコ遊技機では、特別図柄を表示する可変表示部の表示結果があらかじめ定められた特定の表示態様の組合せとなることを、通常、「大当り」という。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１６ラウンド）に固定されている。なお、各開放について開放時間（例えば２９．５秒）が決められ、入賞数が所定個に達しなくても開放時間が経過すると大入賞口は閉成する。また、大入賞口が閉成した時点で所定の条件（例えば、大入賞口内に設けられているＶゾーンへの入賞）が成立していない場合には、大当り遊技状態は終了する。
【０００５】
また、「大当り」の組合せ以外の表示態様の組合せのうち、複数の可変表示部の表示結果のうちの一部が未だに導出表示されていない段階において、既に確定的な、または一時的な表示結果が導出表示されている可変表示部の表示態様が特定の表示態様の組合せとなる表示条件を満たしている状態を「リーチ」という。そして、可変表示部に可変表示される識別情報の表示結果が「大当り」となる条件を満たさない場合には「はずれ」となり、可変表示状態は終了する。遊技者は、大当りをいかにして発生させるかを楽しみつつ遊技を行う。
【０００６】
遊技機における遊技進行はマイクロコンピュータ等による遊技制御手段によって制御される。可変表示装置に表示される識別情報、キャラクタ画像および背景画像は、遊技制御手段からの表示制御コマンドデータに従って動作する表示制御手段によって制御される。可変表示装置に表示される識別情報、キャラクタ画像および背景画像は、一般に、表示制御用のマイクロコンピュータとマイクロコンピュータの指示に応じて画像データを生成して可変表示装置側に転送するビデオディスプレイプロセッサ（ＶＤＰ）とによって制御されるが、表示制御用のマイクロコンピュータのプログラム容量は大きい。
【０００７】
従って、プログラム容量に制限のある遊技制御手段のマイクロコンピュータで可変表示装置に表示される識別情報等を制御することはできず、遊技制御手段のマイクロコンピュータとは別の表示制御用のマイクロコンピュータ（表示制御手段）が用いられる。よって、遊技の進行を制御する遊技制御手段は、表示制御手段に対して表示制御のためのコマンドを送信する必要がある。
【０００８】
また、そのような遊技機では、遊技盤にスピーカが設けられ、遊技効果を増進するために遊技の進行に伴ってスピーカから種々の効果音が発せられる。また、遊技盤にランプやＬＥＤ等の発光体が設けられ、遊技効果を増進するために遊技の進行に伴ってそれらの発光体が点灯されたり消灯されたりする。一般に、効果音を発生する音声制御は、遊技の進行を制御する遊技制御手段によって行われる。また、発光体の点灯／消灯制御は、遊技の進行を制御する遊技制御手段によって行われる。
【０００９】
また、遊技者は、一般に、遊技媒体を遊技機を介して借り出す。その場合、遊技媒体貸出機構が遊技機に設けられる。遊技媒体貸出機構は、賞球払出を行う払出機構と共通化されることも多い。遊技媒体貸出機構と賞球払出機構とが共通化されている場合でも別個に設けられている場合でも、ともに遊技媒体を払い出す動作を行うのであるから、それらは、一つの払出制御基板に搭載された払出制御手段によって制御される。
【００１０】
遊技の進行は主基板に搭載された遊技制御手段によって制御されるので、入賞にもとづく賞球個数は、遊技制御手段によって決定され、払出制御基板に送信される。一方、遊技媒体の貸し出しは、遊技の進行とは無関係であるから、一般に、遊技制御手段を介さず払出制御手段によって制御される。なお、以下、遊技制御手段およびその他の制御手段は、遊技機に設けられている各種電気部品を制御するので、それらを電気部品制御手段と呼ぶことがある。
【００１１】
【発明が解決しようとする課題】
以上のように、遊技機には、遊技制御手段の他に種々の遊技装置制御手段（電気部品制御手段）が搭載されている。一般に、各制御手段はマイクロコンピュータで構成される。マイクロコンピュータは、電源投入後、所定期間のリセット期間がおかれた後にリセット状態が解除されることによって動作を開始する。通常、マイクロコンピュータはリセット端子を有し、リセット端子に対してローレベルが入力されるとリセット状態となりハイレベルが入力されると動作可能状態になる。従って、マイクロコンピュータを含むシステムは、電源投入後、リセット端子に所定期間ローレベルが入力され、その後、リセット端子にハイレベルが継続して入力されるように構成される。
【００１２】
よって、一般に、リセット端子の入力レベルがハイレベルになるとマイクロコンピュータが起動するのであるが、リセット端子に入力される電圧レベルの制御が適切でないと、マイクロコンピュータが正常に起動しない可能性がある。そのような場合には、遊技機の電源をオフした後に再度電源投入を行うといった処理が必要になってしまう。また、電源投入時に、遊技制御手段がコマンドを送出したにも関わらず、他の制御手段の受信準備が整っていないとコマンドを取りこぼすおそれがある。
【００１３】
そこで、本発明は、遊技機の電源投入時に確実にマイクロコンピュータが起動し、各制御手段が遊技制御手段からのコマンドを確実に受信することができる遊技機を提供することを目的とする。
【００１４】
【課題を解決するための手段】
本発明による遊技機は、遊技者が所定の遊技を行い、入賞に応じて景品遊技媒体を払い出す遊技機であって、ＲＡＭを内蔵し、遊技の進行を制御する遊技制御用マイクロコンピュータが搭載された遊技制御基板と、ＲＡＭを内蔵し、入賞に応じて遊技制御用マイクロコンピュータから出力される払出制御コマンドにもとづいて景品遊技媒体の払出処理を行う払出制御用マイクロコンピュータが搭載された払出制御基板と、遊技機への電力供給が停止していても遊技制御用マイクロコンピュータおよび払出制御用マイクロコンピュータのＲＡＭの記憶内容を所定期間保持させることが可能な記憶内容保持手段と、遊技機で使用される所定の電源の状態を監視して電源断の発生を検出したときに電力供給停止時信号を出力する電源監視手段と、マイクロコンピュータに供給される電源がマイクロコンピュータが動作可能な電圧レベル以上の電圧レベルとなったことを条件にマイクロコンピュータを起動させるリセット解除信号を出力するリセット手段とを備え、遊技制御用マイクロコンピュータおよび払出制御用マイクロコンピュータは、リセット手段からのリセット解除信号の入力にもとづいて動作可能状態となり、払出制御用マイクロコンピュータが動作可能状態となる時期よりも遅い時期に遊技制御用マイクロコンピュータが動作可能状態となり、遊技制御用マイクロコンピュータおよび払出制御用マイクロコンピュータは、電源監視手段からの電力供給停止時信号の入力に応じて、ＲＡＭの記憶内容を保持させるための電力供給停止時処理を実行し、電力供給が開始されたときにＲＡＭの記憶内容にもとづいて制御状態を復旧させる制御状態復旧処理を実行し、電源監視手段は遊技制御基板の遊技制御用マイクロコンピュータと払出制御基板の払出制御用マイクロコンピュータとに接続され、単一の電源監視手段から遊技制御用マイクロコンピュータと払出制御用マイクロコンピュータとに電力供給停止時信号が出力されることを特徴とする。
【００１５】
遊技機で使用される電源電圧を作成する電源基板を備え、リセット手段は電源基板に搭載されるように構成されていてもよい。
【００１８】
遊技媒体の払い出しを行う払出手段と、該払出手段から払い出された遊技媒体を検出する遊技媒体検出手段とを備え、払出制御用マイクロコンピュータが、電力供給停止時信号が出力された場合に、遊技媒体検出手段による払出手段から払い出された遊技媒体を検出する払出検出処理を所定期間実行した後、制御状態の保存に関わる電力供給停止時処理を行うように構成されていてもよい。
【００１９】
遊技機への電力供給が停止しても、所定期間において遊技媒体検出手段を駆動可能な電力を供給可能な補助駆動電源を備えていてもよい。
【００２０】
遊技制御用マイクロコンピュータおよび払出制御用マイクロコンピュータが、電力供給停止時処理を行った後に待機状態となり、電力供給停止時信号が出力された後の所定の待機期間経過後に電力供給が停止していない場合に待機状態から復帰させるための復帰信号を遊技制御用マイクロコンピュータおよび払出制御用マイクロコンピュータに向けて出力可能な復帰信号出力手段を備えるように構成されていてもよい。
【００２１】
リセット手段からの信号および復帰信号出力手段からの復帰信号は、例えば、マイクロコンピュータのリセット信号入力部に入力される。
【００２２】
復帰信号出力手段からの復帰信号は払出制御用マイクロコンピュータに出力された後に遊技制御用マイクロコンピュータに出力されるように構成されていてもよい。
【００２４】
【発明の実施の形態】
以下、本発明の一実施形態を図面を参照して説明する。
まず、遊技機の一例であるパチンコ遊技機の全体の構成について説明する。図１はパチンコ遊技機１を正面からみた正面図である。なお、ここでは、遊技機の一例としてパチンコ遊技機を示すが、本発明はパチンコ遊技機に限られず、例えばコイン遊技機やスロット機等であってもよい。
【００２５】
図１に示すように、パチンコ遊技機１は、額縁状に形成されたガラス扉枠２を有する。ガラス扉枠２の下部表面には打球供給皿３がある。打球供給皿３の下部には、打球供給皿３からあふれた遊技球を貯留する余剰玉受皿４と打球を発射する打球操作ハンドル（操作ノブ）５が設けられている。ガラス扉枠２の後方には、遊技盤６が着脱可能に取り付けられている。また、遊技盤６の前面には遊技領域７が設けられている。
【００２６】
遊技領域７の中央付近には、複数種類の図柄を可変表示するための可変表示部（特別図柄表示装置）９と７セグメントＬＥＤによる普通図柄表示器（普通図柄表示装置）１０とを含む可変表示装置８が設けられている。可変表示部９には、例えば「左」、「中」、「右」の３つの図柄表示エリアがある。可変表示装置８の側部には、打球を導く通過ゲート１１が設けられている。通過ゲート１１を通過した打球は、玉出口１３を経て始動入賞口１４の方に導かれる。通過ゲート１１と玉出口１３との間の通路には、通過ゲート１１を通過した打球を検出するゲートスイッチ１２がある。また、始動入賞口１４に入った入賞球は、遊技盤６の背面に導かれ、始動口スイッチ１７によって検出される。また、始動入賞口１４の下部には開閉動作を行う可変入賞球装置１５が設けられている。可変入賞球装置１５は、ソレノイド１６によって開状態とされる。
【００２７】
可変入賞球装置１５の下部には、特定遊技状態（大当り状態）においてソレノイド２１によって開状態とされる開閉板２０が設けられている。この実施の形態では、開閉板２０が大入賞口を開閉する手段となる。開閉板２０から遊技盤６の背面に導かれた入賞球のうち一方（Ｖゾーン）に入った入賞球はＶカウントスイッチ（Ｖ入賞スイッチ）２２で検出される。また、開閉板２０からの入賞球はカウントスイッチ２３で検出される。可変表示装置８の下部には、始動入賞口１４に入った入賞球数を表示する４個の表示部を有する始動入賞記憶表示器１８が設けられている。この例では、４個を上限として、始動入賞がある毎に、始動入賞記憶表示器１８は点灯している表示部を１つずつ増やす。そして、可変表示部９の可変表示が開始される毎に、点灯している表示部を１つ減らす。
【００２８】
遊技盤６には、複数の入賞口１９，２４が設けられ、遊技球のそれぞれの入賞口１９，２４への入賞は、対応して設けられている入賞口スイッチ１９ａ，１９ｂ，２４ａ，２４ｂによって検出される。遊技領域７の左右周辺には、遊技中に点滅表示される装飾ランプ２５が設けられ、下部には、入賞しなかった打球を吸収するアウト口２６がある。また、遊技領域７の外側の左右上部には、効果音を発する２つのスピーカ２７が設けられている。遊技領域７の外周には、遊技効果ＬＥＤ２８ａおよび遊技効果ランプ２８ｂ，２８ｃが設けられている。
【００２９】
そして、この例では、一方のスピーカ２７の近傍に、賞球残数があるときに点灯する賞球ランプ５１が設けられ、他方のスピーカ２７の近傍に、補給球が切れたときに点灯する球切れランプ５２が設けられている。さらに、図１には、パチンコ遊技機１に隣接して設置され、プリペイドカードが挿入されることによって球貸しを可能にするカードユニット５０も示されている。
【００３０】
カードユニット５０には、使用可能状態であるか否かを示す使用可表示ランプ１５１、カード内に記録された残額情報に端数（１００円未満の数）が存在する場合にその端数を打球供給皿３の近傍に設けられる度数表示ＬＥＤに表示させるための端数表示スイッチ１５２、カードユニット５０がいずれの側のパチンコ遊技機１に対応しているのかを示す連結台方向表示器１５３、カードユニット５０内にカードが投入されていることを示すカード投入表示ランプ１５４、記録媒体としてのカードが挿入されるカード挿入口１５５、およびカード挿入口１５５の裏面に設けられているカードリーダライタの機構を点検する場合にカードユニット５０を解放するためのカードユニット錠１５６が設けられている。
【００３１】
打球発射装置から発射された打球は、打球レールを通って遊技領域７に入り、その後、遊技領域７を下りてくる。打球が通過ゲート１１を通ってゲートスイッチ１２で検出されると、普通図柄表示器１０の表示数字が連続的に変化する状態になる。また、打球が始動入賞口１４に入り始動口スイッチ１７で検出されると、図柄の変動を開始できる状態であれば、可変表示部９内の図柄が回転を始める。図柄の変動を開始できる状態でなければ、始動入賞記憶を１増やす。
【００３２】
可変表示部９内の画像の回転は、一定時間が経過したときに停止する。停止時の画像の組み合わせが大当り図柄の組み合わせであると、大当り遊技状態に移行する。すなわち、開閉板２０が、一定時間経過するまで、または、所定個数（例えば１０個）の打球が入賞するまで開放する。そして、開閉板２０の開放中に打球が特定入賞領域に入賞しＶ入賞スイッチ２２で検出されると、継続権が発生し開閉板２０の開放が再度行われる。継続権の発生は、所定回数（例えば１５ラウンド）許容される。
【００３３】
停止時の可変表示部９内の画像の組み合わせが確率変動を伴う大当り図柄の組み合わせである場合には、次に大当りとなる確率が高くなる。すなわち、高確率状態という遊技者にとってさらに有利な状態となる。また、普通図柄表示器１０における停止図柄が所定の図柄（当り図柄＝小当り図柄）である場合に、可変入賞球装置１５が所定時間だけ開状態になる。さらに、高確率状態では、普通図柄表示器１０における停止図柄が当り図柄になる確率が高められるとともに、可変入賞球装置１５の開放時間と開放回数が高められる。
【００３４】
次に、パチンコ遊技機１の裏面に配置されている各基板について説明する。
図２に示すように、パチンコ遊技機１の裏面では、枠体２Ａ内の機構板の上部に玉貯留タンク３８が設けられ、パチンコ遊技機１が遊技機設置島に設置された状態でその上方から遊技球が球貯留タンク３８に供給される。球貯留タンク３８内の遊技球は、誘導樋３９を通って賞球ケースで覆われる球払出装置に至る。
【００３５】
遊技機裏面側では、可変表示部９を制御する可変表示制御ユニット２９、遊技制御用マイクロコンピュータ等が搭載された遊技制御基板（主基板）３１が設置されている。また、球払出制御を行う払出制御用マイクロコンピュータ等が搭載された払出制御基板３７、およびモータの回転力を利用して打球を遊技領域７に発射する打球発射装置が設置されている。さらに、装飾ランプ２５、遊技効果ＬＥＤ２８ａ、遊技効果ランプ２８ｂ，２８ｃ、賞球ランプ５１および球切れランプ５２に信号を送るためのランプ制御基板３５、スピーカ２７からの音声発生を制御するための音声制御基板７０および打球発射装置を制御するための発射制御基板９１も設けられている。
【００３６】
さらに、ＤＣ３０Ｖ、ＤＣ２１Ｖ、ＤＣ１２ＶおよびＤＣ５Ｖを作成する電源回路が搭載された電源基板９１０が設けられ、上方には、各種情報を遊技機外部に出力するための各端子を備えたターミナル基板１６０が設置されている。ターミナル基板１６０には、少なくとも、球切れ検出スイッチの出力を導入して外部出力するための球切れ用端子、賞球個数信号を外部出力するための賞球用端子および球貸し個数信号を外部出力するための球貸し用端子が設けられている。また、中央付近には、主基板３１からの各種情報を遊技機外部に出力するための各端子を備えた情報端子盤３４が設置されている。なお、図２には、ランプ制御基板３５および音声制御基板７０からの信号を、枠側に設けられている遊技効果ＬＥＤ２８ａ、遊技効果ランプ２８ｂ，２８ｃ、賞球ランプ５１および球切れランプ５２に供給するための電飾中継基板Ａ７７が示されているが、信号中継の必要に応じて他の中継基板も設けられる。
【００３７】
図３はパチンコ遊技機１の機構板を背面からみた背面図である。球貯留タンク３８に貯留された玉は誘導樋３９を通り、図３に示されるように、球切れ検出器（球切れスイッチ）１８７ａ，１８７ｂを通過して球供給樋１８６ａ，１８６ｂを経て球払出装置９７に至る。球切れスイッチ１８７ａ，１８７ｂは遊技球通路内の遊技球の有無を検出するスイッチであるが、球タンク３８内の補給球の不足を検出する球切れ検出スイッチ１６７も設けられている。以下、球切れスイッチ１８７ａ，１８７ｂを、球切れスイッチ１８７と表現することがある。
【００３８】
球払出装置９７から払い出された遊技球は、連絡口４５を通ってパチンコ遊技機１の前面に設けられている打球供給皿３に供給される。連絡口４５の側方には、パチンコ遊技機１の前面に設けられている余剰玉受皿４に連通する余剰玉通路４６が形成されている。
【００３９】
入賞にもとづく景品球が多数払い出されて打球供給皿３が満杯になり、ついには遊技球が連絡口４５に到達した後さらに遊技球が払い出されると遊技球は、余剰玉通路４６を経て余剰玉受皿４に導かれる。さらに遊技球が払い出されると、感知レバー４７が満タンスイッチ４８を押圧して満タンスイッチ４８がオンする。その状態では、球払出装置９７内のステッピングモータの回転が停止して球払出装置９７の動作が停止するとともに打球発射装置の駆動も停止する。
【００４０】
次に、機構板３６に設置されている中間ベースユニットの構成について説明する。中間ベースユニットには、球供給樋１８６ａ，１８６ｂや球払出装置９７が設置される。図４に示すように、中間ベースユニットの上下には連結凹突部１８２が形成されている。連結凹突部１８２は、中間ベースユニットと機構板３６の上部ベースユニットおよび下部ベースユニットを連結固定するものである。
【００４１】
中間ベースユニットの上部には通路体１８４が固定されている。そして、通路体１８４の下部に球払出装置９７が固定されている。通路体１８４は、カーブ樋１７４（図３参照）によって流下方向を左右方向に変換された２列の遊技球を流下させる払出球通路１８６ａ，１８６ｂを有する。払出球通路１８６ａ，１８６ｂの上流側には、球切れスイッチ１８７ａ，１８７ｂが設置されている。球切れスイッチ１８７ａ，１８７ｂは、払出球通路１８６ａ，１８６ｂ内の遊技球の有無を検出するものであって、球切れスイッチ１８７ａ，１８７ｂが遊技球を検出しなくなると球払出装置９７における払出モータ（図４において図示せず）の回転を停止して球払出が不動化される。
【００４２】
なお、球切れスイッチ１８７ａ，１８７ｂは、払出球通路１８６ａ，１８６ｂに２７〜２８個程度の遊技球が存在することを検出できるような位置に係止片１８８によって係止されている。すなわち、球切れスイッチ１８７ａ，１８７ｂは、賞球の一単位の最大払出量（この実施の形態では１５個）および球貸しの一単位の最大払出量（この実施の形態では１００円：２５個）以上が確保されていることが確認できるような位置に設置されている。
【００４３】
通路体１８４の中央部は、内部を流下する遊技球の球圧を弱めるように、左右に湾曲する形状に形成されている。そして、払出球通路１８６ａ，１８６ｂの間に止め穴１８９が形成されている。止め穴１８９の裏面は中間ベースユニットに設けられている取付ボスがはめ込まれる。その状態で止めねじがねじ止めされて、通路体１８４は中間ベースユニットに固定される。なお、ねじ止めされる前に、中間ベースユニットに設けられている係止突片１８５によって通路体１８４の位置合わせを行えるようになっている。
【００４４】
通路体１８４の下方には、球払出装置９７に遊技球を供給するとともに故障時等には球払出装置９７への遊技球の供給を停止する球止め装置１９０が設けられている。球止め装置１９０の下方に設置される球払出装置９７は、直方体状のケース１９８の内部に収納されている。ケース１９８の左右４箇所には突部が設けられている。各突部が中間ベースユニットに設けられている位置決め突片に係った状態で、中間ベースユニットの下部に設けられている弾性係合片にケース１９８の下端がはめ込まれる。
【００４５】
図５は球払出装置９７の分解斜視図である。球払出装置９７の構成および作用について図５を参照して説明する。この実施形態における球払出装置９７は、ステッピングモータ（払出モータ）２８９がスクリュー２８８を回転させることによりパチンコ玉を１個ずつ払い出す。なお、球払出装置９７は、入賞にもとづく景品球だけでなく、貸し出すべき遊技球も払い出す。
【００４６】
図５に示すように、球払出装置９７は、２つのケース１９８ａ，１９８ｂを有する。それぞれのケース１９８ａ，１９８ｂの左右２箇所に、球払出装置９７の設置位置上部に設けられた位置決め突片に当接される係合突部２８０が設けられている。また、それぞれのケース１９８ａ，１９８ｂには、球供給路２８１ａ，２８１ｂが形成されている。球供給路２８１ａ，２８１ｂは湾曲面２８２ａ，２８２ｂを有し、湾曲面２８２ａ，２８２ｂの終端の下方には、球送り水平路２８４ａ，２８４ｂが形成されている。さらに、球送り水平路２８４ａ，２８４ｂの終端に球排出路２８３ａ，２８３ｂが形成されている。
【００４７】
球供給路２８１ａ，２８１ｂ、球送り水平路２８４ａ，２８４ｂ、球排出路２８３ａ，２８３ｂは、ケース１９８ａ，１９８ｂをそれぞれ前後に区画する区画壁２９５ａ，２９５ｂの前方に形成されている。また、区画壁２９５ａ，２９５ｂの前方において、玉圧緩衝部材２８５がケース１９８ａ，１９８ｂ間に挟み込まれる。玉圧緩衝部材２８５は、球払出装置９７に供給される玉を左右側方に振り分けて球供給路２８１ａ，２８１ｂに誘導する。
【００４８】
また、玉圧緩衝部材２８５の下部には、発光素子（ＬＥＤ）２８６と受光素子（図示せず）とによる払出モータ位置センサが設けられている。発光素子２８６と受光素子とは、所定の間隔をあけて設けられている。そして、この間隔内に、スクリュー２８８の先端が挿入されるようになっている。なお、玉圧緩衝部材２８５は、ケース１９８ａ，１９８ｂが張り合わされたときに、完全にその内部に収納固定される。
【００４９】
球送り水平路２８４ａ，２８４ｂには、払出モータ２８９によって回転させられるスクリュー２８８が配置されている。払出モータ２８９はモータ固定板２９０に固定され、モータ固定板２９０は、区画壁２９５ａ，２９５ｂの後方に形成される固定溝２９１ａ，２９１ｂにはめ込まれる。その状態で払出モータ２８９のモータ軸が区画壁２９５ａ，２９５ｂの前方に突出するので、その突出の前方にスクリュー２８８が固定される。スクリュー２８８の外周には、払出モータ２８９の回転によって球送り水平路２８４ａ，２８４ｂに載置された遊技球を前方に移動させるための螺旋突起２８８ａが設けられている。
【００５０】
そして、スクリュー２８８の先端には、発光素子２８６を収納するように凹部が形成され、その凹部の外周には、２つの切欠部２９２が互いに１８０度離れて形成されている。従って、スクリュー２８８が１回転する間に、発光素子２８６からの光は、切欠部２９２を介して受光素子で２回検出される。
【００５１】
つまり、発光素子２８６と受光素子とによる払出モータ位置センサは、スクリュー２８８を定位置で停止するためのものであり、かつ、払出動作が行われた旨を検出するものである。なお、発光素子２８６、受光素子および払出モータ２８９からの配線は、まとめられてケース１９８ａ，１９８ｂの後部下方に形成された引出穴から外部に引き出されコネクタに結線される。
【００５２】
遊技球が球送り水平路２８４ａ，２８４ｂに載置された状態において、払出モータ２８９が回転すると、スクリュー２８８の螺旋突起２８８ａによって、遊技球は、球送り水平路２８４ａ，２８４ｂ上を前方に向かって移動する。そして、遂には、球送り水平路２８４ａ，２８４ｂの終端から球排出路２８３ａ，２８３ｂに落下する。このとき、左右の球送り水平路２８４ａ，２８４ｂからの落下は交互に行われる。すなわち、スクリュー２８８が半回転する毎に一方から１個の遊技球が落下する。従って、１個の遊技球が落下する毎に、発光素子２８６からの光が受光素子によって検出される。
【００５３】
図４に示すように、球払出装置９７の下方には、球振分部材（切替部材）３１１が設けられている。球振分部材３１１は、振分ソレノイド３１０によって駆動される。例えば、ソレノイド３１０のオン時には、球振分部材３１１は右側に倒れ、オフ時には左側に倒れる。振分ソレノイド３１０の下方には、近接スイッチによる賞球カウントスイッチ３０１Ａおよび球貸しカウントスイッチ３０１Ｂが設けられている。入賞にもとづく賞球時には、球振分部材３１１は右側に倒れ、球排出路２８３ａ，２８３ｂからの玉はともに賞球カウントスイッチ３０１Ａを通過する。また、球貸し時には、球振分部材３１１は左側に倒れ、球排出路２８３ａ，２８３ｂからの玉はともに球貸しカウントスイッチ３０１Ｂを通過する。従って、球払出装置９７は、賞球時と球貸し時とで払出流下路を切り替えて、所定数の遊技媒体の払出を行うことができる。
【００５４】
このように、球振分部材３１１を設けることによって、２条の玉流路を落下してきた玉は、賞球カウントスイッチ３０１Ａと球貸しカウントスイッチ３０１Ｂとのうちのいずれか一方しか通過しない。従って、賞球であるのか球貸しであるのかの判断をすることなく、賞球カウントスイッチ３０１Ａと球貸しカウントスイッチ３０１Ｂの検出出力から、直ちに賞球数または球貸し数を把握することができる。
【００５５】
なお、この実施の形態では、電気的駆動源の駆動によって遊技球を払い出す球払出装置として、ステッピングモータの回転によって遊技球が払い出される球払出装置９７を用いることにするが、その他の駆動源によって遊技球を送り出す構造の球払出装置を用いてもよいし、ソレノイド等の電気的駆動源の駆動によってストッパを外し遊技球の自重によって払い出しがなされる構造の球払出装置を用いてもよい。また、この実施の形態では、球払出装置９７は賞球にもとづく景品球と貸出要求にもとづく貸し球の双方を払い出すが、それぞれについて払出装置が設けられていてもよい。
【００５６】
図６は、主基板３１における回路構成の一例を示すブロック図である。なお、図６には、払出制御基板３７、ランプ制御基板３５、音声制御基板７０、発射制御基板９１および図柄制御基板８０も示されている。主基板３１には、プログラムに従ってパチンコ遊技機１を制御する基本回路５３と、ゲートスイッチ１２、始動口スイッチ１７、Ｖ入賞スイッチ２２、カウントスイッチ２３、入賞口スイッチ１９ａ，１９ｂ，２４ａ，２４ｂ、満タンスイッチ４８、球切れスイッチ１８７および賞球カウントスイッチ３０１Ａからの信号を基本回路５３に与えるスイッチ回路５８と、可変入賞球装置１５を開閉するソレノイド１６、開閉板２０を開閉するソレノイド２１および大入賞口内の経路を切り換えるためのソレノイド２１Ａを基本回路５３からの指令に従って駆動するソレノイド回路５９とが搭載されている。
【００５７】
なお、図６には示されていないが、カウントスイッチ短絡信号もスイッチ回路５８を介して基本回路５３に伝達される。
【００５８】
また、基本回路５３から与えられるデータに従って、大当りの発生を示す大当り情報、可変表示部９の画像表示開始に利用された始動入賞球の個数を示す有効始動情報、確率変動が生じたことを示す確変情報等の情報出力信号をホールコンピュータ等の外部機器に対して出力する情報出力回路６４が搭載されている。
【００５９】
基本回路５３は、ゲーム制御用のプログラム等を記憶するＲＯＭ５４、ワークメモリとして使用される記憶手段（変動データを記憶する手段）の一例であるＲＡＭ５５、プログラムに従って制御動作を行うＣＰＵ５６およびＩ／Ｏポート部５７を含む。この実施の形態では、ＲＯＭ５４，ＲＡＭ５５はＣＰＵ５６に内蔵されている。すなわち、ＣＰＵ５６は、１チップマイクロコンピュータである。なお、１チップマイクロコンピュータは、少なくともＲＡＭ５５が内蔵されていればよく、ＲＯＭ５４およびＩ／Ｏポート部５７は外付けであっても内蔵されていてもよい。
【００６０】
遊技球を打撃して発射する打球発射装置は発射制御基板９１上の回路によって制御される駆動モータ９４で駆動される。そして、駆動モータ９４の駆動力は、操作ノブ５の操作量に従って調整される。すなわち、発射制御基板９１上の回路によって、操作ノブ５の操作量に応じた速度で打球が発射されるように制御される。
【００６１】
この実施の形態では、電源基板９１０から主基板３１に対して、ローレベルがリセット状態を示すリセット信号、ローアクティブの復帰信号およびローアクティブの電源断信号も入力される。リセット信号と復帰信号とはＡＮＤ回路１６１に入力され、ＡＮＤ回路１６１の出力がＣＰＵ５６のリセット端子に入力される。また、電源断信号は、ＣＰＵ５６のマスク不能割込（ＮＭＩ）端子に入力される。さらに、図６には明示されていないが、ＲＡＭ（ＣＰＵ内蔵ＲＡＭであってもよい。）５５の一部または全部が、電源基板９１０において作成されるバックアップ電源よってバックアップされているバックアップＲＡＭである。すなわち、遊技機に対する電力供給が停止しても、所定期間は、ＲＡＭ５５の一部または全部の内容は保存される。
【００６２】
なお、この実施の形態では、ランプ制御基板３５に搭載されているランプ制御手段が、遊技盤に設けられている始動記憶表示器１８、ゲート通過記憶表示器４１および装飾ランプ２５の表示制御を行うとともに、枠側に設けられている遊技効果ランプ・ＬＥＤ２８ａ，２８ｂ，２８ｃ、賞球ランプ５１および球切れランプ５２の表示制御を行う。また、特別図柄を可変表示する可変表示部９および普通図柄を可変表示する普通図柄表示器１０の表示制御は、図柄制御基板８０に搭載されている表示制御手段によって行われる。
【００６３】
図７は、払出制御基板３７および球払出装置９７の構成要素などの払出に関連する構成要素を示すブロック図である。図７に示すように、満タンスイッチ４８からの検出信号は、中継基板７１を介して主基板３１のＩ／Ｏポート部５７に入力される。満タンスイッチ４８は、余剰球受皿４の満タンを検出するスイッチである。また、球切れスイッチ１８７（１８７ａ，１８７ｂ）からの検出信号も、中継基板７２および中継基板７１を介して主基板３１のＩ／Ｏポート部５７に入力される。
【００６４】
主基板３１のＣＰＵ５６は、球切れスイッチ１８７からの検出信号が球切れ状態を示しているか、または、満タンスイッチ４８からの検出信号が満タン状態を示していると、払出禁止を指示する払出制御コマンドを送出する。払出禁止を指示する払出制御コマンドを受信すると、払出制御基板３７の払出制御用ＣＰＵ３７１は球払出処理を停止する。
【００６５】
さらに、賞球カウントスイッチ３０１Ａからの検出信号は、中継基板７２および中継基板７１を介して主基板３１のＩ／Ｏポート部５７に入力されるとともに、中継基板７２を介して払出制御基板３７の入力ポート３７２ｂに入力される。賞球カウントスイッチ３０１Ａは、球払出装置９７の払出機構部分に設けられ、実際に払い出された賞球払出球を検出する。
【００６６】
入賞があると、払出制御基板３７には、主基板３１の出力ポート（ポート０，１）５７０，５７１から賞球個数を示す払出制御コマンドが入力される。出力ポート（出力ポート１）５７１は８ビットのデータを出力し、出力ポート５７０は１ビットのストローブ信号（ＩＮＴ信号）を出力する。賞球個数を示す払出制御コマンドは、入力バッファ回路３７３Ａを介してＩ／Ｏポート３７２ａに入力される。ＩＮＴ信号は、入力バッファ回路３７３Ｂを介して払出制御用ＣＰＵ３７１の割込端子に入力されている。払出制御用ＣＰＵ３７１は、Ｉ／Ｏポート３７２ａを介して払出制御コマンドを入力し、払出制御コマンドに応じて球払出装置９７を駆動して賞球払出を行う。なお、この実施の形態では、払出制御用ＣＰＵ３７１は、１チップマイクロコンピュータであり、少なくともＲＡＭが内蔵されている。
【００６７】
また、主基板３１において、出力ポート５７０，５７１の外側にバッファ回路６２０，６８Ａが設けられている。バッファ回路６２０，６８Ａとして、例えば、汎用のＣＭＯＳ−ＩＣである７４ＨＣ２５０，７４ＨＣ１４が用いられる。このような構成によれば、外部から主基板３１の内部に入力される信号が阻止されるので、払出制御基板３７から主基板３１に信号が与えられる可能性がある信号ラインをさらに確実になくすことができる。なお、バッファ回路６２０，６８Ａの出力側にノイズフィルタを設けてもよい。
【００６８】
払出制御用ＣＰＵ３７１は、出力ポート３７２ｃを介して、貸し球数を示す球貸し個数信号をターミナル基板１６０に出力する。さらに、出力ポート３７２ｄを介して、エラー表示用ＬＥＤ３７４にエラー信号を出力する。
【００６９】
さらに、払出制御基板３７の入力ポート３７２ｂには、中継基板７２を介して球貸しカウントスイッチ３０１Ｂからの検出信号が入力される。球貸しカウントスイッチ３０１Ｂは、球払出装置９７の払出機構部分に設けられ、実際に払い出された貸し球を検出する。払出制御基板３７からの払出モータ２８９への駆動信号はあ、出力ポート３７２ｃおよび中継基板７２を介して球払出装置９７の払出機構部分における払出モータ２８９に伝えられ、振分ソレノイド３１０への駆動信号は、出力ポート３７２ｅおよび中継基板７２を介して球払出装置９７の払出機構部分における振分ソレノイド３１０に伝えられる。
【００７０】
カードユニット５０には、カードユニット制御用マイクロコンピュータが搭載されている。また、カードユニット５０には、端数表示スイッチ１５２、連結台方向表示器１５３、カード投入表示ランプ１５４およびカード挿入口１５５が設けられている（図１参照）。残高表示基板７４には、打球供給皿３の近傍に設けられている度数表示ＬＥＤ、球貸しスイッチおよび返却スイッチが接続される。
【００７１】
残高表示基板７４からカードユニット５０には、遊技者の操作に応じて、球貸しスイッチ信号および返却スイッチ信号が払出制御基板３７を介して与えられる。また、カードユニット５０から残高表示基板７４には、プリペイドカードの残高を示すカード残高表示信号および球貸し可表示信号が払出制御基板３７を介して与えられる。カードユニット５０と払出制御基板３７の間では、接続信号（ＶＬ信号）、ユニット操作信号（ＢＲＤＹ信号）、球貸し要求信号（ＢＲＱ信号）、球貸し完了信号（ＥＸＳ信号）およびパチンコ機動作信号（ＰＲＤＹ信号）が入力ポート３７２ｂおよび出力ポート３７２ｅを介してやりとりされる。
【００７２】
パチンコ遊技機１の電源が投入されると、払出制御基板３７の払出制御用ＣＰＵ３７１は、カードユニット５０にＰＲＤＹ信号を出力する。また、カードユニット制御用マイクロコンピュータは、ＶＬ信号を出力する。払出制御用ＣＰＵ３７１は、ＶＬ信号の入力状態により接続状態／未接続状態を判定する。カードユニット５０においてカードが受け付けられ、球貸しスイッチが操作され球貸しスイッチ信号が入力されると、カードユニット制御用マイクロコンピュータは、払出制御基板３７にＢＲＤＹ信号を出力する。この時点から所定の遅延時間が経過すると、カードユニット制御用マイクロコンピュータは、払出制御基板３７にＢＲＱ信号を出力する。
【００７３】
そして、払出制御基板３７の払出制御用ＣＰＵ３７１は、カードユニット５０に対するＥＸＳ信号を立ち上げ、カードユニット５０からのＢＲＱ信号の立ち下がりを検出すると、払出モータ２８９を駆動し、所定個の貸し球を遊技者に払い出す。このとき、振分ソレノイド３１０は駆動状態とされている。すなわち、球振分部材３１１を球貸し側に向ける。そして、払出が完了したら、払出制御用ＣＰＵ３７１は、カードユニット５０に対するＥＸＳ信号を立ち下げる。その後、カードユニット５０からのＢＲＤＹ信号がオン状態でなければ、賞球払出制御を実行する。
【００７４】
以上のように、カードユニット５０からの信号は全て払出制御基板３７に入力される構成になっている。従って、球貸し制御に関して、カードユニット５０から主基板３１に信号が入力されることはなく、主基板３１の基本回路５３にカードユニット５０の側から不正に信号が入力される余地はない。
【００７５】
この実施の形態では、電源基板９１０から払出制御基板３７に対して、リセット信号、復帰信号および電源断信号も入力される。リセット信号と復帰信号とはＡＮＤ回路３８５に入力され、ＡＮＤ回路３８５の出力が払出制御用ＣＰＵ３７１のリセット端子に入力される。また、電源断信号は、払出制御用ＣＰＵ３７１のマスク不能割込（ＮＭＩ）端子に入力される。さらに、払出制御基板３７に存在するＲＡＭ（ＣＰＵ内蔵ＲＡＭであってもよい。）の少なくとも一部は、電源基板９１０において作成されるバックアップ電源によって、バックアップされている。すなわち、遊技機に対する電力供給が停止しても、所定期間は、ＲＡＭの少なくとも一部の内容は保存される。
【００７６】
なお、この実施の形態では、カードユニット５０が遊技機とは別体として遊技機に隣接して設置されている場合を例にするが、カードユニット５０は遊技機と一体化されていてもよい。また、コイン投入に応じてその金額に応じた遊技球が貸し出されるような場合でも本発明を適用できる。
【００７７】
図８は、電源基板９１０の一構成例を示すブロック図である。電源基板９１０は、主基板３１、図柄制御基板８０、音声制御基板７０、ランプ制御基板３５および払出制御基板３７等の電気部品制御基板と独立して設置され、遊技機内の各電気部品制御基板および機構部品が使用する電圧を生成する。この例では、ＡＣ２４Ｖ、ＶSL（ＤＣ＋３０Ｖ）、ＤＣ＋２１Ｖ、ＤＣ＋１２ＶおよびＤＣ＋５Ｖを生成する。また、バックアップ電源となるコンデンサ９１６は、ＤＣ＋５Ｖすなわち各基板上のＩＣ等を駆動する電源のラインから充電される。なお、ＶSLは、整流回路９１２において、整流素子でＡＣ２４Ｖを整流昇圧することによって生成される。ＶSLは、ソレノイド駆動電源となる。
【００７８】
トランス９１１は、交流電源からの交流電圧を２４Ｖに変換する。ＡＣ２４Ｖ電圧は、コネクタ９１５に出力される。また、整流回路９１２は、ＡＣ２４Ｖから＋３０Ｖの直流電圧を生成し、ＤＣ−ＤＣコンバータ９１３およびコネクタ９１５に出力する。ＤＣ−ＤＣコンバータ９１３は、１つまたは複数のコンバータＩＣ９２２（図８では１つのみを示す。）を有し、ＶSLにもとづいて＋２１Ｖ、＋１２Ｖおよび＋５Ｖを生成してコネクタ９１５に出力する。コンバータＩＣ９２２の入力側には、比較的大容量のコンデンサ９２３が接続されている。従って、外部からの遊技機に対する電力供給が停止したときに、＋３０Ｖ、＋１２Ｖ、＋５Ｖ等の直流電圧は、比較的緩やかに低下する。この結果、コンデンサ９２３は、後述する補助駆動電源の役割を果たす。コネクタ９１５は例えば中継基板に接続され、中継基板から各電気部品制御基板および機構部品に必要な電圧の電力が供給される。
【００７９】
ただし、電源基板９１０に各電気部品制御基板に至る各コネクタを設け、電源基板９１０から、中継基板を介さずにそれぞれの基板に至る各電圧を供給するようにしてもよい。また、図８には１つのコネクタ９１５が代表して示されているが、コネクタは、各電気部品制御基板対応に設けられている。
【００８０】
ＤＣ−ＤＣコンバータ９１３からの＋５Ｖラインは分岐してバックアップ＋５Ｖラインを形成する。バックアップ＋５Ｖラインとグラウンドレベルとの間には大容量のコンデンサ９１６が接続されている。コンデンサ９１６は、遊技機に対する電力供給が遮断されたときの電気部品制御基板のバックアップＲＡＭ（電源バックアップされているＲＡＭすなわち電力供給停止時にも記憶内容保持状態となりうるバックアップ記憶手段）に対して記憶状態を保持できるように電力を供給するバックアップ電源となる。また、＋５Ｖラインとバックアップ＋５Ｖラインとの間に、逆流防止用のダイオード９１７が挿入される。この実施の形態では、バックアップ用の＋５Ｖは、主基板３１および払出制御基板３７に供給される。
【００８１】
なお、バックアップ電源として、＋５Ｖ電源から充電可能な電池を用いてもよい。電池を用いる場合には、＋５Ｖ電源から電力供給されない状態が所定時間継続すると容量がなくなるような充電池が用いられる。
【００８２】
また、電源基板９１０には、電源監視用ＩＣ９０２が搭載されている。電源監視用ＩＣ９０２は、ＶSL電圧を導入し、ＶSL電圧を監視することによって電源断の発生を検出する。具体的には、ＶSL電圧が所定値（この例では＋２２Ｖ）以下になったら、電源断が生ずるとして電源断信号を出力する。なお、監視対象の電源電圧は、各電気部品制御基板に搭載されている回路素子の電源電圧（この例では＋５Ｖ）よりも高い電圧であることが好ましい。この例では、交流から直流に変換された直後の電圧であるＶSLが用いられている。電源監視用ＩＣ９０２からの電源断信号は、主基板３１や払出制御基板３７等に供給される。
【００８３】
電源監視用ＩＣ９０２が電源断を検知するための所定値は、通常時の電圧より低いが、各電気部品制御基板上のＣＰＵが暫くの間動作しうる程度の電圧である。また、電源監視用ＩＣ９０２が、ＣＰＵ等の回路素子を駆動するための電圧（この例では＋５Ｖ）よりも高く、また、交流から直流に変換された直後の電圧を監視するように構成されているので、ＣＰＵが必要とする電圧に対して監視範囲を広げることができる。従って、より精密な監視を行うことができる。さらに、監視電圧としてＶSL（＋３０Ｖ）を用いる場合には、遊技機の各種スイッチに供給される電圧が＋１２Ｖであることから、電源瞬断時のスイッチオン誤検出の防止も期待できる。すなわち、＋３０Ｖ電源の電圧を監視すると、＋３０Ｖ作成の以降に作られる＋１２Ｖが落ち始める以前の段階でそれの低下を検出できる。
【００８４】
よって、＋１２Ｖ電源の電圧が低下するとスイッチ出力がオン状態を呈するようになるが、＋１２Ｖより早く低下する＋３０Ｖ電源電圧を監視して電源断を認識すれば、スイッチ出力がオン状態を呈する前に電源復旧待ちの状態に入ってスイッチ出力を検出しない状態となることができる。
【００８５】
また、電源監視用ＩＣ９０２は、電気部品制御基板とは別個の電源基板９１０に搭載されているので、電源監視回路から複数の電気部品制御基板に電源断信号を供給することができる。電源断信号を必要とする電気部品制御基板が幾つあっても電源監視手段は１つ設けられていればよいので、各電気部品制御基板における各電気部品制御手段が後述する復帰制御を行っても、遊技機のコストはさほど上昇しない。
【００８６】
なお、図８に示された構成では、電源監視用ＩＣ９０２の検出出力（電源断信号）は、バッファ回路９１８，９１９を介してそれぞれの電気部品制御基板（例えば主基板３１と払出制御基板３７）に伝達されるが、例えば、１つの検出出力を中継基板に伝達し、中継基板から各電気部品制御基板に同じ信号を分配する構成でもよい。また、電源断信号を必要とする基板数に応じたバッファ回路を設けてもよい。
【００８７】
さらに、電源基板９１０には、各基板にリセット信号および復帰信号を供給するリセット管理回路９４０が搭載されている。リセット管理回路９４０は、起動順序制御手段の一実現例である。
【００８８】
図９は、リセット管理回路９４０の構成例を示すブロック図である。リセット管理回路９４０において、リセット回路６５におけるリセットＩＣ６５１は、電源投入時に、外付けのコンデンサの容量で決まる所定時間だけ出力をローレベルとし、所定時間が経過すると出力をハイレベルにする。リセットＩＣ６５１の出力は、リセット信号回路９５０における各回路９４１〜９４９を介して、バッファ回路９６１〜９６４および遅延回路９６０に供給される。遅延回路９６０の出力はバッファ回路９６５に入力する。そして、バッファ回路９６１〜９６５が各電気部品制御基板にリセット信号として供給される。従って、リセットＩＣ６５１の出力がハイレベルになると、各電気部品制御基板におけるＣＰＵが動作可能状態になる。
【００８９】
また、リセットＩＣ６５１は、電源監視用ＩＣ９０２が監視する電源電圧と等しい電源電圧であるＶSLの電源電圧を監視して電圧値が所定値（電源監視用ＩＣ９０２が電源断信号を出力する電源電圧値よりも低い値）以下になるとローレベルになる。従って、ＣＰＵ５６および払出制御用ＣＰＵ３７１は、電源監視用ＩＣ９０２からの電源断信号に応じて所定の電力供給停止準備処理を行った後、システムリセットされることになる。
【００９０】
図９に示すように、リセットＩＣ６５１からのリセット信号は、ＮＡＮＤ回路９４７に入力されるとともに、反転回路（ＮＯＴ回路）９４４を介してカウンタＩＣ９４１のクリア端子に入力される。カウンタＩＣ９４１は、クリア端子への入力がローレベルになると、発振器９４３からのクロック信号をカウントする。そして、カウンタＩＣ９４１のＱ５出力がＮＯＴ回路９４５，９４６を介してＮＡＮＤ回路９４７に入力される。
【００９１】
また、カウンタＩＣ９４１のＱ６出力は、フリップフロップ（ＦＦ）９４２のクロック端子に入力される。フリップフロップ９４２のＤ入力はハイレベルに固定され、Ｑ出力は論理和回路（ＯＲ回路）９４９に入力される。ＯＲ回路９４９の他方の入力には、ＮＡＮＤ回路９４７の出力がＮＯＴ回路９４８を介して導入される。そして、ＯＲ回路９４９の出力が、バッファ回路９６１〜９６５を介して各ＣＰＵに供給されている。このような構成によれば、電源投入時に、各ＣＰＵのリセット端子に２回のリセット信号（ローレベル信号）が与えられるので、各ＣＰＵは、確実に動作を開始する。
【００９２】
そして、例えば、電源監視手段である電源監視用ＩＣ９０２の検出電圧（電源断信号を出力することになる電圧）を＋２２Ｖとし、リセットＩＣ６５１の検出電圧を＋９Ｖとする。そのように構成した場合には、電源監視手段とリセットＩＣ６５１とは、同一の電源ＶSLの電圧を監視するので、電源監視手段が電源断信号を出力するタイミングとリセットＩＣ６５１がリセットレベルであるローレベルを出力するタイミングとの差を所望の所定期間に確実に設定することができる。所望の所定期間とは、電源監視手段からの電源断信号に応じて電力供給停止準備処理（電力供給停止時処理）を開始してから、その処理が確実に完了するまでの期間である。
【００９３】
この例では、電源監視手段が検出信号を出力することになる検出条件は＋３０Ｖ電源電圧が＋２２Ｖにまで低下したことであり、リセットＩＣ６５１がリセットレベルであるローレベルを出力することになる条件は＋３０Ｖ電源電圧が＋９Ｖにまで低下したことになる。ただし、ここで用いられている電圧値は一例であって、他の値を用いてもよい。
【００９４】
ただし、監視範囲が狭まるが、電源監視手段およびリセットＩＣ６５１の監視電圧として＋５Ｖ電源電圧を用いることも可能である。その場合にも、電源監視回路の検出電圧は、リセットＩＣ６５１の検出電圧よりも高く設定される。
【００９５】
主基板３１および払出制御基板３７のＣＰＵ５６および払出制御用ＣＰＵ３７１の駆動電源である＋５Ｖ電源から電力が供給されていない間、ＲＡＭの少なくとも一部は、電源基板９１０から供給されるバックアップ電源によってバックアップされ、遊技機に対する電源が断しても内容は保存される。そして、電源が復旧すると、リセット管理回路９４０からのリセット信号がハイレベルになるので、ＣＰＵ５６および払出制御用ＣＰＵ３７１は、通常の動作状態に復帰する。そのとき、必要なデータがバックアップＲＡＭに保存されているので、停電等からの復旧時に停電発生時の遊技状態に復帰することができる。
【００９６】
なお、図９には、電源投入時に各電気部品制御基板のＣＰＵのリセット端子に２回のリセット信号（ローレベル信号）が与えられる構成が示されたが、リセット信号の立ち上がりタイミングが１回しかなくても確実にリセット解除されるＣＰＵを使用する場合には、符号９４１〜９４９で示された回路素子は不要である。その場合、リセットＩＣ６５１の出力がそのままバッファ回路９６１〜９６４および遅延回路９６０に接続される。
【００９７】
また、この実施の形態では、電源基板９１０から各電気部品制御基板のＣＰＵにリセット信号が供給されるときに、遅延回路９６０が、主基板３１のＣＰＵ５６に対するリセット信号を遅延させる。従って、電源投入時に、主基板３１のＣＰＵ５６に対するリセット信号は、他の電気部品制御基板のＣＰＵに対するリセット信号よりも遅く立ち上がる。
【００９８】
例えば、主基板３１のＣＰＵ５６が他の電気部品制御基板に対して制御コマンドを出力する際に、他の電気部品制御基板におけるＣＰＵは既に立ち上がっているので、制御コマンドは確実に受信側の電気部品制御基板のＣＰＵで受信される。
【００９９】
さらに、電源基板９１０には、待機期間を計測して復帰信号を出力する復帰信号出力手段の一例であるカウンタ９７１が搭載されている。カウンタ９７１は、電源断信号がローレベルになってクリアが解けると、発振器９４３からのクロック信号をカウントする。そして、カウントアップすると、Ｑ出力として、ハイレベルの１パルスを発生する。そのパルス信号は反転回路９７２で論理反転され、バッファ回路９７３および遅延回路９７４に入力する。遅延回路９７４は、入力信号を所定期間遅延させてバッファ回路９７５に入力させる。
【０１００】
バッファ回路９７３の出力は、払出制御基板３７への復帰信号となる。また、バッファ回路９７５の出力は、主基板３１への復帰信号となる。なお、バッファ回路９７３，９７５は、払出制御基板３７、主基板３１に設けられていてもよい。
【０１０１】
図１０は、主基板３１におけるＣＰＵ５６周りの一構成例を示すブロック図である。図１０に示すように、電源基板９１０の電源監視回路（電源監視手段）からの電源断信号が、ＣＰＵ５６のマスク不能割込端子（ＸＮＭＩ端子）に接続されている。上述したように、電源監視回路は、遊技機が使用する各種直流電源のうちのいずれかの電源の電圧を監視して電源電圧低下を検出する回路である。この実施の形態では、ＶSLの電源電圧を監視して電圧値が所定値以下になるとローレベルの電源断信号を発生する。ＶSLは、遊技機における直流電圧のうちで最大のものであり、この例では＋３０Ｖである。従って、ＣＰＵ５６は、割込処理によって電源断の発生を確認することができる。
【０１０２】
また、図１０に示すように、電源基板９１０からのリセット信号と復帰信号とはＡＮＤ回路１６１に入力され、ＡＮＤ回路１６１の出力がＣＰＵ５６のリセット端子（リセット信号入力部）に入力される。
【０１０３】
図１１は、図９に示されたリセット回路６５のリセットＩＣ６５１とリセット信号回路９５０における各ＩＣの出力信号の様子を示すタイミング図である。図１１示すように、リセットＩＣ６５１の出力は、＋５Ｖ電源電圧のレベルが所定値を越えるとハイレベルになる。リセットＩＣ６５１の出力がハイレベルになると、カウンタＩＣ９４１のクリア状態が解除されるので、カウンタＩＣ９４１は発振器９４３の出力クロック信号のカウントを開始する。発振器９４３の発振周波数は例えば１１．７７６ＭＨｚである。
【０１０４】
カウンタＩＣ９４１が１６クロックをカウントするとＱ５出力が立ち上がる。また、３２クロックをカウントするとＱ６出力がハイレベルに立ち上がる。カウンタＩＣ９４１のＱ６出力が立ち上がると、ＦＦ９４２の出力がハイレベルになる。ＩＣ９４７は、カウンタＩＣ９４１のＱ６出力とリセットＩＣ６５１の出力との論理積を反転して、図１１に示すような信号を出力する。ＯＲ回路９４９は、ＩＣ９４７の出力を反転するＩＣ９４８の出力とＦＦ９４２の出力との論理和をとって、図１１に示すような信号を出力する。
【０１０５】
従って、遊技機の電源オン時には、各電気部品制御基板のＣＰＵのリセット端子に対して、一旦リセット解除状態（ハイレベル）になってから、再度リセット状態（ローレベル）になるような信号が供給される。すなわち、電源オン時には、ＣＰＵのリセット端子に、リセット解除を示すレベルとなった後に再度リセットレベルに立ち下がり、その後リセット解除を示すレベルとなる信号が与えられる。その結果、ＣＰＵは、最初のリセット解除を示すローレベルからハイレベルへの変化によって起動しなかったとしても、２回目のローレベルからハイレベルへの変化によって確実に起動することができる。よって、遊技機の電源投入時に、確実に制御が開始される。
【０１０６】
このように、この実施の形態では、いうなればＣＰＵの状態が安定してからリセット解除されることになる。そのようなリセット制御によって、ＣＰＵは確実にシステムリセットの後に起動する。
【０１０７】
なお、ＩＣ９４９が出力するハイレベルパルス（リセット解除状態に相当）およびローレベルパルス（リセット状態に相当）の幅は、カウンタＩＣ９４１の出力端子を変更するによって任意に設定することができる。ただし、ＩＣ９４９が出力するハイレベルパルスの幅は、発振器９４３の出力クロックの数クロック分（例えば４クロック）以上であることが好ましいが、この例では、１６クロック分となっている。また、ＩＣ９４９が出力するローレベルパルスの幅は、発振器９４３の出力クロックの数クロック分（例えば４クロック）以上であることが好ましいが、この例では、１６クロック分となっている。
【０１０８】
電気部品制御基板に搭載されているＣＰＵは、リセット状態が解除されて動作を開始すると、本来の遊技制御処理を開始する前に、セキュリティチェックなどの所定の起動時処理を行うように構成されている場合がある。すると、ＩＣ９４９が出力するハイレベルパルスの終了時点（立ち下がり時点）は、所定の起動時処理の完了前（本来の遊技制御処理開始前）であることが望ましい。さもないと、ＩＣ９４９の出力が立ち上がって所定の起動時処理が行われ、さらに本来の遊技制御処理が開始されてからＩＣ９４９の出力がローレベルになることになり、本来の遊技処理開始後に、再度ＣＰＵがリセットされる状況になるからである。ＩＣ９４９が出力するハイレベルパルスの終了時点（立ち下がり時点）は、例えば立ち上がり時点から１００ｍｓ以内であることが好ましいが、図１１に示された回路構成では、１００ｍｓ以内になっている。
【０１０９】
さらに、図１２に示すように、電源基板９１０に搭載されているリセットＩＣ６５１の出力がリセット解除を示すレベルとなる電圧を、マイクロコンピュータが動作可能な電圧レベル以上に設定することによってマイクロコンピュータの起動を確実化するようにしてもよい。図１２に示す例では、リセットＩＣ６５１はＶSL（＋３０Ｖ）のレベルが＋２２Ｖになると、その出力をリセット解除を示すレベルにする。
【０１１０】
また、図１３に示すように、システムリセット手段を構成するリセット回路６５におけるリセットＩＣ６５１とリセット信号回路９５０が作成する信号を遅延させてＣＰＵ５６および他のＣＰＵのリセット端子に供給するための遅延回路９５１を設けてもよい。
【０１１１】
以上のような制御によれば、システムリセット手段がＣＰＵに対して最初にリセット解除を示すレベルを与えるタイミングを、電源電圧がＣＰＵの動作保証電圧になった時点とすることも保証される。換言すれば、ＣＰＵに供給される電源がＣＰＵが動作可能な電圧レベル以上の電圧レベルとなったことを条件にリセット解除を示すレベルを与えるように、システムリセット手段を構成することができる。従って、電源投入時等に２回以上のリセットレベルが与えられないと確実に動作し得ないＣＰＵを用いた場合でも、２回目のリセットが、電源電圧がＣＰＵの動作保証電圧になった時点以降に与えられる。
【０１１２】
次に遊技機の動作について説明する。
図１４は、主基板３１におけるＣＰＵ５６が実行するメイン処理を示すフローチャートである。遊技機に対する電源が投入されると、メイン処理において、ＣＰＵ５６は、まず、必要な初期設定を行う。
【０１１３】
初期設定処理において、ＣＰＵ５６は、まず、割込禁止に設定する（ステップＳ１）。次に、割込モードを割込モード２に設定し（ステップＳ２）、スタックポインタにスタックポインタ指定アドレスを設定する（ステップＳ３）。そして、内蔵デバイスレジスタの初期化を行う（ステップＳ４）。また、内蔵デバイス（内蔵周辺回路）であるＣＴＣ（カウンタ／タイマ）およびＰＩＯ（パラレル入出力ポート）の初期化（ステップＳ５）を行った後、ＲＡＭをアクセス可能状態に設定する（ステップＳ６）。
【０１１４】
この実施の形態で用いられているＣＰＵ５６には、マスク可能な割込（ＩＮＴ）のモードとして以下の３種類のモードが用意されている。なお、マスク可能な割込が発生すると、ＣＰＵ５６は、自動的に割込禁止状態に設定するとともに、プログラムカウンタの内容をスタックにセーブする。
【０１１５】
割込モード０：割込要求を行った内蔵デバイスがＲＳＴ命令（１バイト）またはＣＡＬＬ命令（３バイト）をＣＰＵの内部データバス上に送出する。よって、ＣＰＵ５６は、ＲＳＴ命令に対応したアドレスまたはＣＡＬＬ命令で指定されるアドレスの命令を実行する。リセット時に、ＣＰＵ５６は自動的に割込モード０になる。よって、割込モード１または割込モード２に設定したい場合には、初期設定処理において、割込モード１または割込モード２に設定するための処理を行う必要がある。
【０１１６】
割込モード１：割込が受け付けられると、常に００３８（ｈ）番地に飛ぶモードである。
【０１１７】
割込モード２：ＣＰＵ５６の特定レジスタ（Ｉレジスタ）の値（１バイト）と内蔵デバイスが出力する割込ベクタ（１バイト：最下位ビット０）から合成されるアドレスが、割込番地を示すモードである。すなわち、割込番地は、上位アドレスが特定レジスタの値とされ下位アドレスが割込ベクタとされた２バイトで示されるアドレスである。従って、任意の（飛び飛びではあるが）偶数番地に割込処理を設置することができる。各内蔵デバイスは割込要求を行うときに割込ベクタを送出する機能を有している。
【０１１８】
よって、割込モード２に設定されると、各内蔵デバイスからの割込要求を容易に処理することが可能になり、また、プログラムにおける任意の位置に割込処理を設置することが可能になる。さらに、割込モード１とは異なり、割込発生要因毎のそれぞれの割込処理を用意しておくことも容易である。上述したように、この実施の形態では、初期設定処理のステップＳ２において、ＣＰＵ５６は割込モード２に設定される。
【０１１９】
次いで、ＣＰＵ５６は、電源断時にバックアップＲＡＭ領域のデータ保護処理（例えばパリティデータの付加等の停電発生ＮＭＩ処理）が行われたか否か確認する（ステップＳ８）。この実施の形態では、不測の電源断が生じた場合には、バックアップＲＡＭ領域のデータを保護するための処理が行われている。そのような保護処理が行われていた場合をバックアップありとする。バックアップなしを確認したら、ＣＰＵ５６は初期化処理を実行する。
【０１２０】
この実施の形態では、バックアップＲＡＭ領域にバックアップデータがあるか否かは、電源断時にバックアップＲＡＭ領域に設定されるバックアップフラグの状態によって確認される。この例では、図１５に示すように、バックアップフラグ領域に「５５Ｈ」が設定されていればバックアップあり（オン状態）を意味し、「５５Ｈ」以外の値が設定されていればバックアップなし（オフ状態）を意味する。
【０１２１】
バックアップありを確認したら、ＣＰＵ５６は、バックアップＲＡＭ領域のデータチェック（この例ではパリティチェック）を行う。
【０１２２】
図１６は、ステップＳ９のパリティチェック処理の一例を示すフローチャートである。パリティチェック処理では、ＣＰＵ５６は、まず、ＲＡＭ５５におけるバックアップパリティデータ領域に設定されているデータが「００」であるか否か確認する（ステップＳ９ａ）。バックアップパリティデータ領域については後で詳しく説明する。バックアップパリティデータ領域に設定されているデータが「００」でなければ、パリティ診断（チェックサム確認）を行う（ステップＳ９ｂ）。そして、チェックサム確認の結果が正当であれば（ステップＳ９ｃ）、ＣＰＵ５６は、後述する停電復旧処理を実行する（ステップＳ１０）。また、チェックサム確認の結果が正当でなければ、または、バックアップパリティデータ領域に設定されているデータが「００」であった場合には、通常の初期化処理を実行する（ステップＳ１１〜Ｓ１５）。
【０１２３】
不測の電源断が生じた後に復旧した場合には、バックアップＲＡＭ領域のデータは保存されていたはずであるから、チェック結果は正常になる。チェック結果が正常でない場合には、内部状態を電源断時の状態に戻すことができないので、停電復旧時でない電源投入時に実行される初期化処理を実行する。
【０１２４】
チェック結果が正常であれば（ステップＳ９）、ＣＰＵ５６は、遊技制御手段の内部状態と表示制御手段等の電気部品制御手段の制御状態を電源断時の状態に戻すための遊技状態復旧処理を行う（ステップＳ１０）。そして、バックアップＲＡＭ領域に保存されていたＰＣ（プログラムカウンタ）の退避値がＰＣに設定され、そのアドレスに復帰する。
【０１２５】
なお、この実施の形態では、ステップＳ８でバックアップデータの有無が確認された後、バックアップデータが存在する場合にステップＳ９でバックアップ領域のチェックが行われたが、逆に、バックアップ領域のチェック結果が正常であったことが確認された後、バックアップデータの有無の確認を行うようにしてもよい。また、バックアップデータの有無の確認、またはバックアップ領域のチェックの何れか一方の確認を行うことによって、停電復旧処理を実行するか否かを判定してもよい。
【０１２６】
また、例えば停電復旧処理を実行するか否か判断する場合のパリティチェック（ステップＳ９）の際に、すなわち、遊技状態を復旧するか否か判断する際に、保存されていたＲＡＭデータにおける特別プロセスフラグ等や始動入賞記憶数データによって、遊技機が遊技待機状態（図柄変動中でなく、大当り遊技中でなく、確変中でなく、また、始動入賞記憶がない状態）であることが確認されたら、遊技状態復旧処理を行わずに初期化処理を実行するようにしてもよい。
【０１２７】
以上のように、この実施の形態では、電力供給開始時に、電力供給停止時にバックアップＲＡＭ領域に記憶されたチェックデータ（チェックサムデータ）にもとづいて、初期化処理を行うか遊技状態復旧処理を行うかを決定するように構成したので、停電等の不測の電源断が発生したときに必要なデータを確実に保存することができ、さらに、保存されていたデータを電源復帰後に確実に活用することができる。
【０１２８】
通常の初期化処理（ステップＳ１１〜Ｓ１５）において、ＣＰＵ５６は、まず、ＲＡＭクリア処理を行う（ステップＳ１１）。また、所定の作業領域（例えば、普通図柄判定用乱数カウンタ、普通図柄判定用バッファ、特別図柄左中右図柄バッファ、払出コマンド格納ポインタなど）に初期値を設定する初期値設定処理も行われる。さらに、サブ基板（ランプ制御基板３５、払出制御基板３７、音声制御基板７０、図柄制御基板８０）を初期化するための処理を実行する（ステップＳ１３）。サブ基板を初期化する処理とは、例えば初期設定コマンドを送出する処理である。
【０１２９】
そして、２ｍｓ毎に定期的にタイマ割込がかかるようにＣＰＵ５６に設けられているＣＴＣのレジスタの設定が行われる（ステップＳ１４）。すなわち、初期値として２ｍｓに相当する値が所定のレジスタ（時間定数レジスタ）に設定される。そして、初期設定処理のステップＳ１において割込禁止とされているので、初期化処理を終える前に割込が許可される（ステップＳ１５）。
【０１３０】
この実施の形態では、ＣＰＵ５６の内蔵ＣＴＣが繰り返しタイマ割込を発生するように設定される。この実施の形態では、繰り返し周期は２ｍｓに設定される。そして、タイマ割込が発生すると、図１７に示すように、ＣＰＵ５６は、例えばタイマ割込が発生したことを示すタイマ割込フラグをセットする（ステップＳ１２）。
【０１３１】
初期化処理の実行（ステップＳ１１〜Ｓ１５）が完了すると、メイン処理で、タイマ割込が発生したか否かの監視（ステップＳ１７）の確認が行われるループ処理に移行する。なお、ループ内では、表示用乱数更新処理（ステップＳ１６）も実行される。
【０１３２】
ＣＰＵ５６は、ステップＳ１７において、タイマ割込が発生したことを認識すると、ステップＳ２１〜Ｓ３１の遊技制御処理を実行する。遊技制御処理において、ＣＰＵ５６は、まず、スイッチ回路５８を介して、ゲートセンサ１２、始動口センサ１７、カウントセンサ２３および入賞口スイッチ１９ａ，１９ｂ，２４ａ，２４ｂ等のスイッチの状態を入力し、それらの状態判定を行う（スイッチ処理：ステップＳ２１）。
【０１３３】
次いで、パチンコ遊技機１の内部に備えられている自己診断機能によって種々の異常診断処理が行われ、その結果に応じて必要ならば警報が発せられる（エラー処理：ステップＳ２２）。
【０１３４】
次に、遊技制御に用いられる大当り判定用の乱数等の各判定用乱数を示す各カウンタを更新する処理を行う（ステップＳ２３）。ＣＰＵ５６は、さらに、停止図柄の種類を決定する乱数等の表示用乱数を更新する処理を行う（ステップＳ２４）。
【０１３５】
さらに、ＣＰＵ５６は、特別図柄プロセス処理を行う（ステップＳ２５）。特別図柄プロセス制御では、遊技状態に応じてパチンコ遊技機１を所定の順序で制御するための特別図柄プロセスフラグに従って該当する処理が選び出されて実行される。そして、特別図柄プロセスフラグの値は、遊技状態に応じて各処理中に更新される。また、普通図柄プロセス処理を行う（ステップＳ２６）。普通図柄プロセス処理では、７セグメントＬＥＤによる可変表示器１０を所定の順序で制御するための普通図柄プロセスフラグに従って該当する処理が選び出されて実行される。そして、普通図柄プロセスフラグの値は、遊技状態に応じて各処理中に更新される。
【０１３６】
次いで、ＣＰＵ５６は、特別図柄に関する表示制御コマンドをＲＡＭ５５の所定の領域に設定して表示制御コマンドを送出する処理を行う（特別図柄コマンド制御処理：ステップＳ２７）。また、普通図柄に関する表示制御コマンドをＲＡＭ５５の所定の領域に設定して表示制御コマンドを送出する処理を行う（普通図柄コマンド制御処理：ステップＳ２８）。
【０１３７】
さらに、ＣＰＵ５６は、例えばホール管理用コンピュータに供給される大当り情報、始動情報、確率変動情報などのデータを出力する情報出力処理を行う（ステップＳ２９）。
【０１３８】
また、ＣＰＵ５６は、所定の条件が成立したときにソレノイド回路５９に駆動指令を行う（ステップＳ３０）。ソレノイド回路５９は、駆動指令に応じてソレノイド１６，２１を駆動し、可変入賞球装置１５または開閉板２０を開状態または閉状態とする。
【０１３９】
そして、ＣＰＵ５６は、各入賞口への入賞を検出するためのスイッチ１７，２３，１９ａ，１９ｂ，２４ａ，２４ｂの検出出力にもとづく賞球数の設定などを行う賞球処理を実行する（ステップＳ３１）。具体的には、入賞検出に応じて払出制御基板３７に払出制御コマンドを出力する。払出制御基板３７に搭載されている払出制御用ＣＰＵ３７１は、払出制御コマンドに応じて球払出装置９７を駆動する。
【０１４０】
以上の制御によって、この実施の形態では、遊技制御処理は２ｍｓ毎に起動されることになる。なお、この実施の形態では、タイマ割込処理では例えば割込が発生したことを示すフラグのセットのみがなされ、遊技制御処理はメイン処理において実行されるが、タイマ割込処理で遊技制御処理を実行してもよい。
【０１４１】
また、メイン処理には遊技制御処理に移行すべきか否かを判定する処理が含まれ、ＣＰＵ５６の内部タイマが定期的に発生するタイマ割込にもとづくタイマ割込処理で遊技制御処理に移行すべきか否かを判定するためのフラグがセット等がなされるので、遊技制御処理の全てが確実に実行される。つまり、遊技制御処理の全てが実行されるまでは、次回の遊技制御処理に移行すべきか否かの判定が行われないので、遊技制御処理中の全ての各処理が実行完了することは保証されている。
【０１４２】
以上に説明したように、この実施の形態では、ＣＴＣやＰＩＯを内蔵するＣＰＵ５６に対して、初期設定処理で割込モード２が設定される。従って、内蔵ＣＴＣを用いた定期的なタイマ割込処理を容易に実現できる。また、タイマ割込処理をプログラム上の任意の位置に設置できる。また、内蔵ＰＩＯを用いたスイッチ検出処理等を容易に割込処理で実現できる。その結果、プログラム構成が簡略化され、プログラム開発工数が低減する等の効果を得ることができる。
【０１４３】
以下、遊技状態復旧処理について説明する。
図１８は、図１４のステップＳ１０に示された遊技状態復旧処理の一例を示すフローチャートである。この例では、ＣＰＵ５６は、バックアップＲＡＭに保存されていた値を各レジスタに復元する（ステップＳ１３１）。そして、バックアップＲＡＭに保存されていたデータにもとづいて停電時の遊技状態を確認して復帰させる。すなわち、バックアップＲＡＭに保存されていたデータにもとづいて、ソレノイド回路５９を介してソレノイド１６やソレノイド２１を駆動し、始動入賞口１４や開閉板２０の開閉状態の復旧を行う（ステップＳ１３２，Ｓ１３３）。また、電源断中でも保存されていた特別図柄プロセスフラグおよび普通図柄プロセスフラグの値に応じて、電源断時の特別図柄プロセス処理の進行状況および普通図柄プロセス処理の進行状況に対応した制御コマンドを、図柄制御基板８０、ランプ制御基板３５および音声制御基板７０に送出する（ステップＳ１３４）。
【０１４４】
以上のように、遊技状態復旧処理では、復元された内部状態に応じて、各種電気部品の状態復元が行われるとともに、図柄制御基板８０、ランプ制御基板３５および音声制御基板７０に対して、制御状態を電源断時の状態に戻すための制御コマンド（電源断時の制御状態を生じさせるための制御コマンド）が送出される。そのような制御コマンドは、一般に、電源断前に最後に送出された１つまたは複数の制御コマンドである。
【０１４５】
遊技状態を電源断時の状態に復帰させると、この実施の形態では、ＣＰＵ５６は、前回の電源断時の割込許可／禁止状態を復帰させるため、バックアップＲＡＭに保存されていたパリティフラグの値を確認する（ステップＳ１３５）。パリティフラグがオフ状態であれば、割込許可設定を行う（ステップＳ１３６）。しかし、パリティフラグがオン状態であれば、そのまま（ステップＳ１で設定された割込禁止状態のまま）遊技状態復旧処理を終了する。パリティフラグがオン状態であるということは、後述するように、前回の電源断時に割込禁止状態であったことを意味する。従って、パリティフラグがオン状態である場合には、割込許可はなされない。
【０１４６】
図１９および図２０は、この実施の形態における遊技制御手段の出力ポートの割り当てを示す説明図である。図１９に示すように、出力ポート０は各電気部品制御基板に送出される制御コマンドのストローブ信号（ＩＮＴ信号）の出力ポートである。また、払出制御基板３７に送出される払出制御コマンドの８ビットのデータは出力ポート１から出力され、図柄制御基板８０に送出される表示制御コマンドの８ビットのデータは出力ポート２から出力され、ランプ制御基板３５に送出されるランプ制御コマンドの８ビットのデータは出力ポート３から出力される。そして、図２０に示すように、音声制御基板７０に送出される音声制御コマンドの８ビットのデータは出力ポート４から出力される。
【０１４７】
また、出力ポート５から、情報出力回路６４を介して情報端子板３４等に至る各種情報出力用信号すなわち制御に関わる情報の出力データが出力される。そして、出力ポート６から、可変入賞球装置１５を開閉するためのソレノイド１６、大入賞口の開閉板２おを開閉するためのソレノイド２１、および大入賞口内の経路を切り換えるためのソレノイド２１Ａに対する駆動信号が出力される。
【０１４８】
図２１は、この実施の形態における入力ポートのビット割り当てを示す説明図である。図２１に示すように、入力ポート０のビット０〜７には、それぞれ、入賞口スイッチ２４ａ、入賞口スイッチ２４ｂ、入賞口スイッチ１９ａ、入賞口スイッチ１９ｂ、始動口スイッチ１７、カウントスイッチ２３、Ｖ入賞スイッチ（特定領域スイッチ）２２、ゲートスイッチ１２の検出信号が入力される。また、入力ポート１のビット０〜４には、それぞれ、賞球カウントスイッチ３０１Ａ、満タンスイッチ４８、球切れスイッチ１８７の検出信号、カウントスイッチ短絡信号の出力信号が入力される。
【０１４９】
なお、図１９および図２０に示された出力ポート０〜６のうち、出力ポート０，１，２，３，４は、遊技制御処理のうちの特別図柄コマンド制御処理（ステップＳ２５）、普通図柄コマンド制御処理（ステップＳ２７）、賞球処理（ステップＳ３１）等でアクセスされる。また、出力ポート５は、情報出力処理（ステップＳ２９）でアクセスされ、出力ポート６は、特別図柄プロセス処理（ステップＳ２５）や普通図柄プロセス処理（ステップＳ２６）でアクセスされる。
【０１５０】
次に、メイン処理におけるスイッチ処理（ステップＳ２１）の具体例を説明する。この実施の形態では、検出信号のオン状態が所定時間継続すると、確かにスイッチがオンしたと判定されスイッチオンに対応した処理が開始される。所定時間を計測するために、スイッチタイマが用いられる。スイッチタイマは、バックアップＲＡＭ領域に形成された１バイトのカウンタであり、検出信号がオン状態を示している場合に２ｍｓ毎に＋１される。図２２に示すように、スイッチタイマは検出信号の数Ｎだけ設けられている。この実施の形態ではＮ＝１２である。また、ＲＡＭにおいて、各スイッチタイマのアドレスは、入力ポートのビット配列順（図２１に示された上から下への順）と同じ順序で並んでいる。
【０１５１】
図２３は、遊技制御処理におけるステップＳ２１のスイッチ処理の処理例を示すフローチャートである。なお、スイッチ処理は、図１４に示すように遊技制御処理において最初に実行される。スイッチ処理において、ＣＰＵ５６は、まず、入力ポート０に入力されているデータを入力する（ステップＳ７１）。次いで、処理数として「８」を設定し（ステップＳ７２）、入賞口スイッチ２４ａのためのスイッチタイマのアドレスをポインタにセットする（ステップＳ７３）。そして、スイッチチェック処理サブルーチンをコールする（ステップＳ７４）。
【０１５２】
図２４は、スイッチチェック処理サブルーチンを示すフローチャートである。スイッチチェック処理サブルーチンにおいて、ＣＰＵ５６は、ポート入力データ、この場合には入力ポート０からの入力データを「比較値」として設定する（ステップＳ８１）。また、クリアデータ（００）をセットする（ステップＳ８２）。そして、ポインタ（スイッチタイマのアドレスが設定されている）が指すスイッチタイマをロードするとともに（ステップＳ８３）、比較値を右（上位ビットから下位ビットへの方向）にシフトする（ステップＳ８４）。比較値には入力ポート０のデータ設定されている。そして、この場合には、入賞口スイッチ２４ａの検出信号がキャリーフラグに押し出される。
【０１５３】
キャリーフラグの値が「１」であれば（ステップＳ８５）、すなわち入賞口スイッチ２４ａの検出信号がオン状態であれば、スイッチタイマの値を１加算する（ステップＳ８７）。加算後の値が０でなければ加算値をスイッチタイマに戻す（ステップＳ８８，Ｓ８９）。加算後の値が０になった場合には加算値をスイッチタイマに戻さない。すなわち、スイッチタイマの値が既に最大値（２５５）に達している場合には、それよりも値を増やさない。
【０１５４】
キャリーフラグの値が「０」であれば、すなわち入賞口スイッチ２４ａの検出信号がオフ状態であれば、スイッチタイマにクリアデータをセットする（ステップＳ８６）。すなわち、スイッチがオフ状態であれば、スイッチタイマの値が０に戻る。
【０１５５】
その後、ＣＰＵ５６は、ポインタ（スイッチタイマのアドレス）を１加算するとともに（ステップＳ９０）、処理数を１減算する（ステップＳ９１）。処理数が０になっていなければステップＳ８２に戻る。そして、ステップＳ８２〜Ｓ９２の処理が繰り返される。
【０１５６】
ステップＳ８２〜Ｓ９２の処理は、処理数分すなわち８回繰り返され、その間に、入力ポート０の８ビットに入力されるスイッチの検出信号について、順次、オン状態かオフ状態か否かのチェック処理が行われ、オン状態であれば、対応するスイッチタイマの値が１増やされる。
【０１５７】
ＣＰＵ５６は、スイッチ処理のステップＳ７５において、入力ポート１に入力されているデータを入力する。次いで、処理数として「４」を設定し（ステップＳ７６）、賞球カウントスイッチ３０１Ａのためのスイッチタイマのアドレスをポインタにセットする（ステップＳ７７）。そして、スイッチチェック処理サブルーチンをコールする（ステップＳ７８）。
【０１５８】
スイッチチェック処理サブルーチンでは、上述した処理が実行されるので、ステップＳ８２〜Ｓ９２の処理が、処理数分すなわち４回繰り返され、その間に、入力ポート１の４ビットに入力されるスイッチの検出信号について、順次、オン状態かオフ状態か否かのチェック処理が行われ、オン状態であれば、対応するスイッチタイマの値が１増やされる。
【０１５９】
なお、この実施の形態では、遊技制御処理が２ｍｓ毎に起動されるので、スイッチ処理も２ｍｓに１回実行される。従って、スイッチタイマは、２ｍｓ毎に＋１される。
【０１６０】
図２５は、入力判定値テーブルの一構成例を示す説明図である。入力判定値テーブルとは、各スイッチについて、連続何回のオンが検出されたら確かにスイッチがオンしたと判定するための判定値が設定されているＲＯＭ領域である。図２５に示すように、入力判定値テーブルには、上から順に、すなわちアドレス値が小さい領域から順に、「２」、「５０」、「２５０」、「３０」、「２５０」、「１」の判定値が設定されている。
【０１６１】
そして、スイッチオンを確認するルーチン（例えば、メイン処理におけるステップＳ３１の賞球処理）では、入力判定値テーブルの先頭アドレスとオフセット値とで決まるアドレスに設定されている判定値と、スイッチタイマの先頭アドレスとオフセット値とで決まるスイッチタイマの値とが比較され、一致した場合には、スイッチがオンしたと判定される。
【０１６２】
図２６〜図２８は、電源基板９１０からの電源断信号に応じて実行されるマスク不能割込処理（電力供給停止時処理）の処理例を示すフローチャートである。
【０１６３】
電力供給停止時処理において、ＣＰＵ５６は、ＡＦレジスタ（アキュミュレータとフラグのレジスタ）を所定のバックアップＲＡＭ領域に退避する（ステップＳ４５１）。また、割込フラグをパリティフラグにコピーする（ステップＳ４５２）。パリティフラグはバックアップＲＡＭ領域に形成されている。また、ＢＣレジスタ、ＤＥレジスタ、ＨＬレジスタ、ＩＸレジスタおよびスタックポインタをバックアップＲＡＭ領域に退避する（ステップＳ４５４〜Ｓ４５８）。なお、電源復旧時には、退避された内容にもとづいてレジスタ内容が復元され、パリティフラグの内容に応じて、割込許可状態／禁止状態の内部設定がなされる。
【０１６４】
次いで、この実施の形態では、所定期間、賞球カウントスイッチ３０１Ａの検出信号をチェックする。そして、賞球カウントスイッチ３０１Ａがオンしたら総賞球数バッファの内容を１減らす。
【０１６５】
なお、この実施の形態では、所定期間を計測するために、所定期間計測用カウンタが用いられる。所定期間計測用カウンタの値は、初期値ｍから、以下に説明するスイッチ検出処理のループ（Ｓ４６１から始まってＳ４６１に戻るループ）が１回実行される毎に−１され、その値が０になると、所定期間が終了したとする。検出処理のループでは、例外はあるがほぼ一定の処理が行われるので、ループの１周に要する時間のｍ倍の時間が、ほぼ所定期間に相当する。
【０１６６】
所定期間を計測するために、ＣＰＵ５６の内蔵タイマを用いてもよい。すなわち、スイッチ検出処理開始時に、内蔵タイマに所定値（所定期間に相当）を設定しておく。そして、スイッチ検出処理のループが１回実行される毎に、内蔵タイマのカウント値をチェックする。そして、カウント値が０になったら、所定期間が終了したとする。内蔵タイマの値が０になったことを検出するために内蔵タイマによる割込を用いることもできるが、この段階では制御内容（ＲＡＭに格納されている各値など）を変化させないように、割込を用いず、内蔵タイマのカウント値を読み出してチェックするようなプログラム構成の方が好ましい。
【０１６７】
また、所定期間は、遊技球が、球払出装置９７から落下した時点から、賞球カウントスイッチ３０１Ａに到達するまでの時間以上に設定される。球払出装置９７から賞球カウントスイッチ３０１Ａまでの距離をＬとすると、その間の落下時間ｔは、ｔ＝√（２Ｌ／ｇ）（ｇ：重力加速度）になるので、所定期間は、それ以上に設定される。
【０１６８】
少なくとも、スイッチ検出処理が実行される所定期間では、賞球カウントスイッチ３０１Ａが遊技球を検出できる状態でなければならない。そこで、この実施の形態では、図８に示されたように、電源基板９１０におけるコンバータＩＣ９２２の入力側に比較的大容量の補助駆動電源としてのコンデンサ９２３が接続されている。よって、遊技機に対する電力供給停止時にも、ある程度の期間は＋１２Ｖ電源電圧がスイッチ駆動可能な範囲に維持され、賞球カウントスイッチ３０１Ａが動作可能になる。その期間が、上記の所定期間以上になるように、コンデンサの容量が決定される。
【０１６９】
なお、入力ポートおよびＣＰＵ５６も、コンバータＩＣ９２２で作成される＋５Ｖ電源で駆動されるので、電力供給停止時にも、比較的長い期間動作可能になっている。
【０１７０】
ステップＳ４６１において、２ｍｓ計測用カウンタに２ｍｓの時間に相当する初期値ｎが設定される。そして、２ｍｓ計測用カウンタの値が０になるまで（ステップＳ４６２）、２ｍｓ計測用カウンタの値が−１される（ステップＳ４６３）。
【０１７１】
２ｍｓ計測用カウンタの値が０になると、賞球カウントスイッチ３０１Ａの検出信号の入力チェックが行われる。すなわち、図２３および図２４に示されたスイッチ処理およびスイッチチェック処理に類似した処理が行われる。具体的には、入力ポート１に入力されているデータを入力する（ステップＳ４６４）。次いで、クリアデータ（００）をセットする（ステップＳ４６５）。また、ポート入力データ、この場合には入力ポート１からの入力データを「比較値」として設定する（ステップＳ４６６）。さらに、賞球カウントスイッチ３０１Ａのためのスイッチタイマのアドレスをポインタにセットする（ステップＳ４６７）。
【０１７２】
そして、ポインタ（スイッチタイマのアドレスが設定されている）が指すスイッチタイマをロードするとともに（ステップＳ４６８）、比較値を右（上位ビットから下位ビットへの方向）にシフトする（ステップＳ４６９）。比較値には入力ポート１のデータ設定されている。そして、この場合には、賞球カウントスイッチ３０１Ａの検出信号がキャリーフラグに押し出される。
【０１７３】
キャリーフラグの値が「１」であれば（ステップＳ４７０）、すなわち賞球カウントスイッチ３０１Ａの検出信号がオン状態であれば、スイッチタイマの値を１加算する（ステップＳ４７１）。キャリーフラグの値が「０」であれば、すなわち賞球カウントスイッチ３０１Ａの検出信号がオフ状態であれば、スイッチタイマにクリアデータをセットする（ステップＳ４７２）。すなわち、スイッチがオフ状態であれば、スイッチタイマの値が０に戻る。
【０１７４】
そして、スイッチタイマの値が２になったときに（ステップＳ４７３）、総賞球数格納バッファの格納値を１減算するとともに（ステップＳ４７４）、賞球情報カウンタの値を＋１する（ステップＳ４７５）。そして、賞球情報カウンタの値が１０以上であれば（ステップＳ４７６）、賞球情報出力カウンタの値を＋１するとともに（ステップＳ４７７）、賞球情報カウンタの値を−１０する（ステップＳ４７８）。
【０１７５】
次いで、所定期間計測用カウンタの値を−１し（ステップＳ４７９）、その値が０になっていなければステップＳ４６１に戻る。
【０１７６】
以上の処理によって、所定期間内に賞球カウントスイッチ３０１Ａがオンしたら、総賞球数格納バッファの値が−１される。バックアップＲＡＭの内容を保存するための処理は、このようなスイッチ検出処理の後で行われるので、払出が完了した賞球について、必ず総賞球数格納バッファが−１される。従って、遊技球の払出に関して、保存される制御状態に矛盾が生じてしまうことが防止される。また、上記のスイッチ検出処理では、検出期間用カウンタを用いたタイマ処理が施されている。すなわち、２ｍｓ毎に賞球カウントスイッチ３０１Ａの検出出力のチェックが行われ、２回連続してオン検出した場合に、賞球カウントスイッチ３０１Ａが確実にオンしたと見なされる。従って、誤ってスイッチオン検出がなされてしまうことは防止される。また、スイッチ検出処理において、遊技機外部への賞球情報出力のための賞球情報出力回数カウンタの演算も行われるので、外部に出力される賞球情報と実際の払出賞球数とが食い違ってしまうようなこともない。
【０１７７】
なお、この実施の形態では、賞球カウントスイッチ３０１Ａのみのスイッチ検出処理が行われたが、始動入賞口のスイッチや大入賞口に関連するＶ入賞スイッチ２２やカウントスイッチについても同様のスイッチ検出処理を行ってもよい。また、他の入賞についても同様のスイッチ検出処理を行ってもよい。そのようなオンチェックも行う場合には、入賞口に遊技球が入賞した直後に停電が発生したような場合でも、その入賞が確実に検出され、保存される遊技状態に反映される。
【０１７８】
所定期間が経過すると（ステップＳ４８０）、すなわち、所定期間計測用カウンタの値が０になると、バックアップあり指定値（この例では「５５Ｈ」）をバックアップフラグにストアする（ステップＳ４８１）。バックアップフラグはバックアップＲＡＭ領域に形成されている。次いで、パリティデータを作成する（ステップＳ４８２〜Ｓ４９１）。すなわち、まず、クリアデータ（００）をチェックサムデータエリアにセットし（ステップＳ４８２）、チェックサム算出開始アドレスをポインタにセットする（ステップＳ４８３）。また、チェックサム算出回数をセットする（ステップＳ４８４）。
【０１７９】
そして、チェックサムデータエリアの内容とポインタが指すＲＡＭ領域の内容との排他的論理和を演算する（ステップＳ４８５）。演算結果をチェックサムデータエリアにストアするとともに（ステップＳ４８６）、ポインタの値を１増やし（ステップＳ４８７）、チェックサム算出回数の値を１減算する（ステップＳ４８８）。ステップＳ４８５〜Ｓ４８８の処理が、チェックサム算出回数の値が０になるまで繰り返される（ステップＳ４８９）。
【０１８０】
チェックサム算出回数の値が０になったら、ＣＰＵ５６は、チェックサムデータエリアの内容の各ビットの値を反転する（ステップＳ４９０）。そして、反転後のデータをチェックサムデータエリアにストアする（ステップＳ４９１）。このデータが、電源投入時にチェックされるパリティデータとなる。
【０１８１】
図２９は、バックアップパリティデータ作成方法を説明するための説明図である。ただし、図２９に示す例では、簡単のために、バックアップデータＲＡＭ領域のデータのサイズを３バイトとする。また、図２９に示す例では、ステップＳ４８４においてチェックサム算出回数として３がセットされる。電源電圧低下にもとづく停電発生処理において、図２９（Ａ）に示すように、バックアップチェックデータ領域に、初期データ（この例では００Ｈ）が設定される。次に、「００Ｈ」とチェックサム算出開始アドレス（この例では「Ｆ０Ｈ」）の排他的論理和がとられ、その結果と次のポインタが指すＲＡＭ領域の内容（本例では「１６Ｈ」）の排他的論理和がとられる。さらに、その結果と次のポインタが指すＲＡＭ領域の内容（本例では「ＤＦＨ」）の排他的論理和がとられる。そして、その結果（この例では「３９Ｈ」）を反転したデータ（この例では「Ｃ６Ｈ」）がバックアップパリティデータ領域に設定される。
【０１８２】
電源が再投入されたときには、チェックサム確認処理（ステップＳ９ｂ）においてパリティ診断が行われるが、図２９（Ｂ）はパリティ診断の例を示す説明図である。バックアップ領域の全データがそのまま保存されていれば、電源再投入時に、図２９（Ａ）に示すようなデータがバックアップ領域に設定されている。
【０１８３】
ステップＳ５１の処理において、ＣＰＵ５６は、バックアップＲＡＭ領域のバックアップパリティデータ領域に設定されていたデータ（この例では「Ｃ６Ｈ」）を初期データとし、初期データを反転したデータ（この例では「３９Ｈ」）を用いて、バックアップデータ領域の各データについて順次排他的論理和をとる処理を行う。バックアップ領域の全データがそのまま保存されていれば、最終的な演算結果は、「００Ｈ」、すなわちバックアップチェックデータ領域に設定されているデータと一致する。バックアップＲＡＭ領域内のデータにビット誤りが生じていた場合には、最終的な演算結果は「００Ｈ」にならない。
【０１８４】
よって、ＣＰＵ５６は、パリティチェック処理（チェックサム確認処理）において、最終的な演算結果とバックアップチェックデータ領域に設定されているデータとを比較して、一致すればパリティ診断正常とする。一致しなければ、パリティ診断異常とする。
【０１８５】
次いで、ＣＰＵ５６は、ＲＡＭアクセスレジスタにアクセス禁止値を設定する（ステップＳ４９２）。以後、内蔵ＲＡＭ５５のアクセスができなくなる。
【０１８６】
さらに、ＣＰＵ５６は、クリアデータ（００）を適当なレジスタにセットし（ステップＳ４９３）、処理数（この例では「７」）を別のレジスタにセットする（ステップＳ４９４）。また、出力ポート０のアドレスをＩＯポインタに設定する（ステップＳ４９５）。ＩＯポインタとして、さらに別のレジスタが用いられる。
【０１８７】
そして、ＩＯポインタが指すアドレスにクリアデータをセットするとともに（ステップＳ４９６）、ＩＯポインタの値を１増やし（ステップＳ４９７）、処理数の値を１減算する（ステップＳ４９８）。ステップＳ４９６〜Ｓ４９８の処理が、処理数の値が０になるまで繰り返される。その結果、全ての出力ポート０〜６（図１９および図２０参照）にクリアデータが設定される。図１９および図２０に示すように、この例では、「１」がオン状態であり、クリアデータである「００」が各出力ポートにセットされるので、全ての出力ポートがオフ状態になる。
【０１８８】
従って、遊技状態を保存するための処理（この例では、チェックサムの生成およびＲＡＭアクセス防止）が実行された後、各出力ポートは直ちにオフ状態になる。なお、この実施の形態では、遊技制御処理において用いられるデータが格納されるＲＡＭ領域は全て電源バックアップされている。従って、その内容が正しく保存されているか否かを示すチェックサムの生成処理、およびその内容を書き換えないようにするためのＲＡＭアクセス防止処理が、遊技状態を保存するための処理に相当する。
【０１８９】
遊技状態を保存するための処理が実行された後、直ちに各出力ポートがオフ状態になるので、保存される遊技状態と整合しない状況が発生することは確実に防止される。図２６〜図２９に示す処理が実行されるときには、遊技機に対する電源供給が停止するので、電気部品に印加される電圧が低下していく。そして、印加電圧が駆動可能電圧を下回った時点で電気部品の駆動は停止する。従って、遊技機に対する電力供給停止時には、短時間の遅れはあるものの電気部品の駆動は停止する。
【０１９０】
出力ポートに対するクリア処理が完了すると、ＣＰＵ５６は、待機状態（ループ状態）に入る。従って、システムリセットされるまで、何もしない状態になる。
【０１９１】
なお、この実施の形態では、ＮＭＩに応じて電力供給停止時処理が実行されたが、電源断信号をＣＰＵ５６のマスク可能端子に接続し、マスク可能割込処理によって電力供給停止時処理を実行してもよい。また、電源断信号を入力ポートに入力し、入力ポートのチェック結果に応じて電力供給停止時処理を実行してもよい。
【０１９２】
また、この実施の形態では、電源断信号に応じて起動される処理の最初にレジスタの保存処理が行われたが、スイッチ検出処理においてレジスタを使用しない場合には、スイッチ検出処理の実行後に、すなわち、バックアップフラグの設定とチェックサムの算出の処理の前にレジスタ保存処理を行うことができる。その場合には、レジスタ保存処理、バックアップフラグ設定処理、チェックサム算出処理および出力ポートのオフ設定処理を電力供給停止時処理と見なすことができる。さらに、スイッチ検出処理において幾つかのレジスタを使用する場合であっても、使用しないレジスタについては、バックアップフラグの設定とチェックサムの算出の処理の前にレジスタ保存処理を行うことができる。
【０１９３】
図３０は、電力供給停止時の遊技機の動作を説明するためのタイミング図である。（Ａ）に示すように、電源電圧が低下し、ＶSLの電圧値が電源断信号出力レベル（この例では＋２２Ｖ）まで低下すると電源断信号が発生する。具体的には、電源断信号がローレベルになる。すると、主基板３１のＣＰＵ５６は、電力供給停止時処理の実行を開始し、その処理が終了すると、何の制御もしないループ状態（待機状態）に入る。
【０１９４】
電源基板９１０に搭載されているカウンタ９７１（図９参照）は、電源断信号がローレベルになるとカウントを開始するのであるが、カウントアップ値は、電源断信号がローレベルになってから、ＶSLの電圧値がＶcc生成可能電圧にまで低下する時間以上に設定される。すなわち、少なくとも、電源電圧が、制御動作が不能になる電圧にまで低下する時間以上に設定される。カウンタ９７１はＶccを電源として動作するので、カウントアップ値は、カウンタ９７１の動作可能期間に相当する値以上に設定される。従って、一般には、カウンタ９７１がカウントアップして復帰信号が出力される前に、カウンタ９７１およびその他の回路部品は動作しなくなる。
【０１９５】
図３０（Ａ）に示すように、電源断信号がオン（この例ではハイレベルからローレベルに変化）するあたりで賞球払出が実行された場合、払出検出手段からの検出信号の入力処理が実行される所定期間内で賞球カウントスイッチ３０１Ａがオンする。従って、電源断信号がオンするあたりで実行された球払出についても、電力供給停止時処理が実行される際に、遊技制御手段はバックアップＲＡＭの内容に反映することができる。
【０１９６】
電源の瞬断等が生ずると、図３０（Ｂ）に示すように、ＶSLの電圧レベルが短期間低下した後に復旧する。ＶSLの電圧レベルが電源断信号出力レベル以下になると、電源断信号がローレベルになって、電力供給停止時処理が開始される。そして、ＣＰＵ５６は電力供給停止時処理終了後にループ状態に入る。何らの制御も行わないと、ループ処理から抜けられないのであるが、この場合には、カウンタ９７１がカウントアップして復帰信号が発生する。
【０１９７】
図１０に示されたように、主基板３１において、復帰信号は、ＡＮＤ回路１６１介して、ＣＰＵ５６のリセット端子に入力される。従って、ＣＰＵ５６にはシステムリセットがかかる。その結果、ＣＰＵ５６は、待機状態である無限ループの状態から抜け出すことができる。ＣＰＵ５６は、システムリセットが解除されると、すなわち復帰信号がハイレベルになると、電源投入時の場合と同様に、起動時の先頭番地からプログラムを実行する。
【０１９８】
なお、図３０（Ｂ）には、カウンタ９７１のカウントアップ後に、直ちに復帰信号が出力される場合が示されているが、図９に示されたように電源基板９１０には遅延回路９７４があるので、主基板３１のＣＰＵ５６に対する復帰信号の供給タイミングは、払出制御用ＣＰＵ３７１に対する復帰信号の供給タイミングよりも遅れる。すなわち、通常の電力供給開始時にリセット信号が与えられる場合と同様に、遊技制御手段のリセット解除タイミングは、払出制御手段のリセット解除タイミングに対して遅れる。よって、復帰信号によって制御動作が復旧する場合も、遊技制御手段は、他の電気部品制御手段に対して、遅れて起動されることになる。
【０１９９】
図３１は、払出制御用ＣＰＵ３７１周りの一構成例を示すブロック図である。図３１に示すように、電源基板９１０の電源監視回路（電源監視手段）からの電源断信号が、バッファ回路９６０を介して払出制御用ＣＰＵ３７１のマスク不能割込端子（ＸＮＭＩ端子）に接続されている。従って、払出制御用ＣＰＵ３７１は、マスク不能割込処理によって電源断の発生を確認することができる。また、電源基板９１０からのリセット信号と復帰信号とはＡＮＤ回路３８５に入力され、ＡＮＤ回路３８５の出力が払出制御用ＣＰＵ３７１のリセット端子に入力される。
【０２００】
払出制御用ＣＰＵ３７１のＣＬＫ／ＴＲＧ２端子には、主基板３１からのＩＮＴ信号が接続されている。ＣＬＫ／ＴＲＧ２端子にクロック信号が入力されると、払出制御用ＣＰＵ３７１に内蔵されているタイマカウンタレジスタＣＬＫ／ＴＲＧ２の値がダウンカウントされる。そして、レジスタ値が０になると割込が発生する。従って、タイマカウンタレジスタＣＬＫ／ＴＲＧ２の初期値を「１」に設定しておけば、ＩＮＴ信号の入力に応じて割込が発生することになる。なお、ＩＮＴ信号とは、遊技制御手段から払出制御手段に対する払出制御コマンドが送出されたことを意味する信号である。払出制御用ＣＰＵ３７１は、ＩＮＴ信号の入力に応じて発生する割込によって、払出制御コマンド受信処理を開始する。
【０２０１】
図３２は、この実施の形態における出力ポートの割り当てを示す説明図である。図３２に示すように、出力ポートＣ（アドレス００Ｈ）は、払出モータ２８９に出力される駆動信号の出力ポートである。また、出力ポートＤ（アドレス０１Ｈ）は、７セグメントＬＥＤであるエラー表示ＬＥＤ３７４に出力される表示制御信号の出力ポートである。そして、出力ポートＥ（アドレス０２Ｈ）は、振分ソレノイド３１０に出力される駆動信号、およびカードユニット５０に対するＥＸＳ信号とＰＲＤＹ信号とを出力するための出力ポートである。
【０２０２】
図３３は、この実施の形態における入力ポートのビット割り当てを示す説明図である。図３３に示すように、入力ポートＡ（アドレス０６Ｈ）は、主基板３１から送出された払出制御コマンドの８ビットの払出制御信号を取り込むための入力ポートである。また、入力ポートＢ（アドレス０７Ｈ）のビット０〜２には、それぞれ、賞球カウントスイッチ３０１Ａ、球貸しカウントスイッチ３０１Ｂ、モータ位置センサの検出信号入力される。ビット３〜６には、カードユニット５０からのＢＲＤＹ信号、ＢＲＱ信号、ＶＬ信号の出力信号が入力される。
【０２０３】
図３４は、払出制御用ＣＰＵ３７１が実行するメイン処理を示すフローチャートである。遊技機に対して電源が投入され、リセット端子の入力レベルがハイレベルになると、払出制御用ＣＰＵ３７１は、ステップＳ７０１以降のメイン処理を開始する。なお、リセット端子の入力レベルがハイレベルになる場合として、遊技機に対する電力供給が開始された場合の他に、電源基板９１０から復帰信号が入力された場合（ローレベルからハイレベルに変化した場合）がある。
【０２０４】
初期設定処理において、払出制御用ＣＰＵ３７１は、割込禁止に設定する（ステップＳ７０１）。次に、割込モードを割込モード２に設定し（ステップＳ７０２）、スタックポインタにスタックポインタ指定アドレスを設定する（ステップＳ７０３）。また、払出制御用ＣＰＵ３７１は、内蔵デバイスレジスタの初期化を行い（ステップＳ７０４）、ＣＴＣおよびＰＩＯの初期化（ステップＳ７０５）を行った後に、ＲＡＭをアクセス可能状態に設定する（ステップＳ７０６）。
【０２０５】
この実施の形態では、内蔵ＣＴＣのうちの一つのチャネルがタイマモードで使用される。従って、ステップＳ７０４の内蔵デバイスレジスタの設定処理およびステップＳ７０５の処理において、使用するチャネルをタイマモードに設定するためのレジスタ設定、割込発生を許可するためのレジスタ設定および割込ベクタを設定するためのレジスタ設定が行われる。そして、そのチャネルによる割込がタイマ割込として用いられる。タイマ割込を例えば２ｍｓ毎に発生させたい場合は、初期値として２ｍｓに相当する値が所定のレジスタ（時間定数レジスタ）に設定される。
【０２０６】
なお、タイマモードに設定されたチャネル（この実施の形態ではチャネル３）に設定される割込ベクタは、タイマ割込処理の先頭番地に相当するものである。具体的は、Ｉレジスタに設定された値と割込ベクタとでタイマ割込処理の先頭番地が特定される。タイマ割込処理ではタイマ割込フラグがセットされ、メイン処理でタイマ割込フラグがセットされていることが検知されると、払出制御処理が実行される。すなわち、タイマ割込処理では、電気部品制御処理の一例である払出制御処理を実行するための設定がなされる。
【０２０７】
また、内蔵ＣＴＣのうちの他の一つのチャネル（この実施の形態ではチャネル２）が、遊技制御手段からの払出制御コマンド受信のための割込発生用のチャネルとして用いられ、そのチャネルがカウンタモードで使用される。従って、ステップＳ７０４の内蔵デバイスレジスタの設定処理およびステップＳ７０５の処理において、使用するチャネルをカウンタモードに設定するためのレジスタ設定、割込発生を許可するためのレジスタ設定および割込ベクタを設定するためのレジスタ設定が行われる。
【０２０８】
カウンタモードに設定されたチャネル（チャネル２）に設定される割込ベクタは、後述するコマンド受信割込処理の先頭番地に相当するものである。具体的は、Ｉレジスタに設定された値と割込ベクタとでコマンド受信割込処理の先頭番地が特定される。
【０２０９】
この実施の形態では、払出制御用ＣＰＵ３７１でも割込モード２が設定される。従って、内蔵ＣＴＣのカウントアップにもとづく割込処理を使用することができる。また、ＣＴＣが送出した割込ベクタに応じた割込処理開始番地を設定することができる。
【０２１０】
ＣＴＣのチャネル２（ＣＨ２）のカウントアップにもとづく割込は、上述したタイマカウンタレジスタＣＬＫ／ＴＲＧ２の値が「０」になったときに発生する割込である。従って、例えばステップＳ７０５において、特定レジスタとしてのタイマカウンタレジスタＣＬＫ／ＴＲＧ２に初期値「１」が設定される。また、ＣＴＣのチャネル３（ＣＨ３）のカウントアップにもとづく割込は、ＣＰＵの内部クロック（システムクロック）をカウントダウンしてレジスタ値が「０」になったら発生する割込であり、後述する２ｍｓタイマ割込として用いられる。具体的には、ＣＨ３のレジスタ値はシステムクロックの１／２５６周期で減算される。ステップＳ７０５において、ＣＨ３のレジスタには、初期値として２ｍｓに相当する値が設定される。
【０２１１】
ＣＴＣのＣＨ２のカウントアップにもとづく割込は、ＣＨ３のカウントアップにもとづく割込よりも優先順位が高い。従って、同時にカウントアップが生じた場合に、ＣＨ２のカウントアップにもとづく割込、すなわち、コマンド受信割込処理の実行契機となる割込の方が優先される。
【０２１２】
次いで、払出制御用ＣＰＵ３７１は、払出制御用のバックアップＲＡＭ領域にバックアップデータが存在しているか否かの確認を行う（ステップＳ７０８）。例えば、主基板３１のＣＰＵ５６の処理と同様に、電源断時にセットされるバックアップフラグがセット状態になっているか否かによって、バックアップデータが存在しているか否か確認する。バックアップフラグがセット状態になっている場合には、バックアップデータありと判断する。
【０２１３】
バックアップありを確認したら、払出制御用ＣＰＵ３７１は、バックアップＲＡＭ領域のデータチェック（この例ではパリティチェック）を行う。不測の電源断が生じた後に復旧した場合には、バックアップＲＡＭ領域のデータは保存されていたはずであるから、チェック結果は正常になる。チェック結果が正常でない場合には、内部状態を電源断時の状態に戻すことができないので、停電復旧時でない電源投入時に実行される初期化処理を実行する。
【０２１４】
チェック結果が正常であれば（ステップＳ７０９）、払出制御用ＣＰＵ３７１は、内部状態を電源断時の状態に戻すための払出状態復旧処理を行う（ステップＳ７１０）。そして、バックアップＲＡＭ領域に保存されていたＰＣ（プログラムカウンタ）の指すアドレスに復帰する。
【０２１５】
初期化処理では、払出制御用ＣＰＵ３７１は、まず、ＲＡＭクリア処理を行う（ステップＳ７１１）。そして、２ｍｓ毎に定期的にタイマ割込がかかるように払出制御用ＣＰＵ３７１に設けられているＣＴＣのレジスタの設定が行われる（ステップＳ７１２）。すなわち、初期値として２ｍｓに相当する値が所定のレジスタ（時間定数レジスタ）に設定される。そして、初期設定処理のステップＳ７０１において割込禁止とされているので、初期化処理を終える前に割込が許可される（ステップＳ７１３）。
【０２１６】
この実施の形態では、払出制御用ＣＰＵ３７１の内蔵ＣＴＣが繰り返しタイマ割込を発生するように設定される。この実施の形態では、繰り返し周期は２ｍｓに設定される。そして、タイマ割込が発生すると、図３５に示すように、払出制御用ＣＰＵ３７１は、例えばタイマ割込が発生したことを示すタイマ割込フラグをセットする（ステップＳ７２１）。なお、図３５には割込を許可することも明示されているが（ステップＳ７２０）、２ｍｓタイマ割込処理では、最初に割込許可状態に設定される。すなわち、２ｍｓタイマ割込処理中には割込許可状態になってので、ＩＮＴ信号の入力にもとづく払出制御コマンド受信処理を優先して実行することができる。
【０２１７】
払出制御用ＣＰＵ３７１は、ステップＳ７２４において、タイマ割込フラグがセットされたことを検出するとステップＳ７５１以降の払出制御処理を実行する。以上の制御によって、この実施の形態では、払出制御処理は２ｍｓ毎に起動されることになる。なお、この実施の形態では、タイマ割込処理ではフラグセットのみがなされ、払出制御処理はメイン処理において実行されるが、タイマ割込処理で払出制御処理を実行してもよい。
【０２１８】
払出制御処理において、払出制御用ＣＰＵ３７１は、まず、中継基板７２を介して入力ポート３７２ｂに入力される賞球カウントスイッチ３０１Ａ、球貸しカウントスイッチ３０１Ｂがオンしたか否かを判定する（スイッチ処理：ステップＳ７５１）。
【０２１９】
次に、払出制御用ＣＰＵ３７１は、センサ（例えば、払出モータ２８９の回転数を検出するモータ位置センサ）からの信号入力状態を確認してセンサの状態を判定する等の処理を行う（入力判定処理：ステップＳ７５２）。払出制御用ＣＰＵ３７１は、さらに、受信した払出制御コマンドを解析し、解析結果に応じた処理を実行する（コマンド解析実行処理：ステップＳ７５３）。
【０２２０】
次いで、払出制御用ＣＰＵ３７１は、主基板３１から払出停止指示コマンドを受信していたら払出停止状態に設定し、払出開始指示コマンドを受信していたら払出停止状態の解除を行う（ステップＳ７５４）。また、プリペイドカードユニット制御処理を行う（ステップＳ７５５）。
【０２２１】
次いで、払出制御用ＣＰＵ３７１は、球貸し要求に応じて貸し球を払い出す制御を行う（ステップＳ７５６）。このとき、払出制御用ＣＰＵ３７１は、振分ソレノイド３１０によって球振分部材３１１を球貸し側に設定する。
【０２２２】
さらに、払出制御用ＣＰＵ３７１は、総合個数記憶に格納された個数の賞球を払い出す賞球制御処理を行う（ステップＳ７５７）。このとき、払出制御用ＣＰＵ３７１は、振分ソレノイド３１０によって球振分部材３１１を賞球側に設定する。そして、出力ポート３７２ｃおよび中継基板７２を介して球払出装置９７の払出機構部分における払出モータ２８９に対して駆動信号を出力し、所定の回転数分払出モータ２８９を回転させる払出モータ制御処理を行う（ステップＳ７５８）。
【０２２３】
なお、この実施の形態では、払出モータ２８９としてステッピングモータが用いられ、それらを制御するために１−２相励磁方式が用いられる。従って、具体的には、払出モータ制御処理において、８種類の励磁パターンデータが繰り返し払出モータ２８９に出力される。また、この実施の形態では、各励磁パターンデータが４ｍｓずつ出力される。
【０２２４】
次いで、エラー検出処理が行われ、その結果に応じてエラー表示ＬＥＤ３７４に所定の表示を行う（エラー処理：ステップＳ７５９）。
【０２２５】
なお、出力ポートＣは、払出制御処理における払出モータ制御処理（ステップＳ７５８）でアクセスされる。また、出力ポートＤは、払出制御処理におけるエラー処理（ステップＳ７５９）でアクセスされる。そして、出力ポートＥは、払出制御処理における球貸し制御処理（ステップＳ７５６）および賞球制御処理（ステップＳ７５７）でアクセスされる。
【０２２６】
図３６は、払出制御用ＣＰＵ３７１が内蔵するＲＡＭの使用例を示す説明図である。この例では、バックアップＲＡＭ領域に、総合個数記憶（例えば２バイト）と貸し球個数記憶とがそれぞれ形成されている。総合個数記憶は、主基板３１の側から指示された賞球払出個数の総数を記憶するものである。貸し球個数記憶は、未払出の球貸し個数を記憶するものである。
【０２２７】
このように、未払出の賞球個数と貸し球個数とが、所定期間はその内容を保持可能なバックアップＲＡＭ領域に記憶されるので、停電等の不測の電源断が生じても、所定期間内に電源復旧すれば、バックアップＲＡＭ領域に記憶される賞球処理および球貸し処理を続行できる。従って、遊技者に与えられる不利益を低減することができる。
【０２２８】
図３７〜図３９は、電源基板９１０からの電源断信号に応じて実行されるマスク不能割込処理（電力供給停止時処理）の処理例を示すフローチャートである。この例では、ＮＭＩに応じて電力供給停止時処理が実行されるが、電源断信号を払出制御用ＣＰＵ３７１のマスク可能端子に接続し、マスク可能割込処理によって電力供給停止時処理を実行してもよい。また、電源断信号を入力ポートに入力し、入力ポートのチェック結果に応じて電力供給停止時処理を実行してもよい。
【０２２９】
マスク不能割込処理において、払出制御用ＣＰＵ３７１は、ＡＦレジスタを所定のバックアップＲＡＭ領域に退避する（ステップＳ８０１）。また、割込フラグをパリティフラグにコピーする（ステップＳ８０２）。パリティフラグはバックアップＲＡＭ領域に形成されている。また、ＢＣレジスタ、ＤＥレジスタ、ＨＬレジスタ、ＩＸレジスタおよびスタックポインタをバックアップＲＡＭ領域に退避する（ステップＳ８０４〜８０８）。なお、電源復旧時には、退避された内容にもとづいてレジスタ内容が復元され、パリティフラグの内容に応じて、割込許可状態／禁止状態の内部設定がなされる。
【０２３０】
次いで、払出モータ２８９に出力される駆動信号をオフ状態にする（ステップＳ７６１）。よって、球払出装置９７の駆動は停止する。その後、この実施の形態では、所定期間、払出検出手段としての賞球カウントスイッチ３０１Ａ（賞遊技媒体検出手段に相当）および球貸しカウントスイッチ３０１Ｂ（貸出遊技媒体検出手段に相当）の検出信号をチェックする。そして、賞球カウントスイッチ３０１Ａがオンしたら総合個数記憶の内容を１減らす。また、球貸しカウントスイッチ３０１Ｂがオンしたら貸し球個数記憶の内容を１減らす。
【０２３１】
なお、この実施の形態では、所定期間を計測するために、所定期間計測用カウンタが用いられる。所定期間計測用カウンタの値は、初期値ｍから、以下に説明するスイッチ検出処理のループ（Ｓ７６３から始まってＳ７６３に戻るループ）が１回実行される毎に−１され、その値が０になると、所定期間が終了したとする。検出処理のループでは、例外はあるがほぼ一定の処理が行われるので、ループの１周に要する時間のｍ倍の時間が、ほぼ所定期間に相当する。
【０２３２】
所定期間を計測するために、払出制御用ＣＰＵ３７１の内蔵タイマを用いてもよい。すなわち、スイッチ検出処理開始時に、内蔵タイマに所定値（所定期間に相当）を設定しておく。そして、スイッチ検出処理のループが１回実行される毎に、内蔵タイマのカウント値をチェックする。そして、カウント値が０になったら、所定期間が終了したとする。内蔵タイマの値が０になったことを検出するために内蔵タイマによる割込を用いることもできるが、この段階では制御内容（ＲＡＭに格納されている各値など）を変化させないように、割込を用いず、内蔵タイマのカウント値を読み出してチェックするようなプログラム構成の方が好ましい。また、所定期間は、遊技球が、球払出装置９７から落下した時点から、賞球カウントスイッチ３０１Ａまたは球貸しカウントスイッチ３０１Ｂに到達するまでの時間以上に設定される。
【０２３３】
少なくとも、スイッチ検出処理が実行される所定期間では、賞球カウントスイッチ３０１Ａおよび球貸しカウントスイッチ３０１Ｂが遊技球を検出できる状態でなければならない。そこで、この実施の形態では、図１０に示されたように、電源基板９１０におけるコンバータＩＣ９２２の入力側に比較的大容量の補助駆動電源としてのコンデンサ９２３が接続されている。よって、遊技機に対する電力供給停止時にも、ある程度の期間は＋１２Ｖ電源電圧がスイッチ駆動可能な範囲に維持され、賞球カウントスイッチ３０１Ａおよび球貸しカウントスイッチ３０１Ｂが動作可能になる。その期間が、上記の所定期間以上になるように、コンデンサの容量が決定される。
【０２３４】
なお、入力ポートおよび払出制御用ＣＰＵ３７１も、コンバータＩＣ９２２で作成される＋５Ｖ電源で駆動されるので、電力供給停止時にも、比較的長い期間動作可能になっている。
【０２３５】
さらに、この実施の形態では、賞球路と貸し球路とを切り換えるために振分ソレノイド３１０が用いられている。よって、図１０に示されたコンデンサ９２３の容量は、少なくとも上記の所定期間の間、振分ソレノイド３１０も駆動できるような容量になっている。なお、コンデンサ９２３は、ＶSLの電源ラインと並列接続されているが、電源断信号に応じて遊技制御手段が他のソレノイド（大入賞口開閉用等）の駆動信号をオフ状態にしているので、電源断信号発生後では、コンデンサ９２３は、各ソレノイドのうちでは振分ソレノイド３１０のみを駆動できればよい。
【０２３６】
なお、この実施の形態で用いられているコンデンサ９２３は補助駆動電源の一つの例であるが、補助駆動電源として他のものを用いてもよい。少なくとも、上記の所定期間の間は、賞球カウントスイッチ３０１Ａ、球貸しカウントスイッチ３０１Ｂ、振分ソレノイド３１０および払出制御用ＣＰＵ３７１等の払出制御手段を駆動できるものであれば、他の態様の補助駆動電源を用いることができる。
【０２３７】
払出検出手段からの検出信号の入力処理（スイッチ検出処理）では、払出制御用ＣＰＵ３７１は、まず、所定期間計測用カウンタに、所定期間に対応した値ｍを設定する（ステップＳ７６２）。そして、払出制御用ＣＰＵ３７１は、所定期間計測用カウンタの値を−１し（ステップＳ７６３）、所定期間計測用カウンタの値を確認する（ステップＳ７６４）。その値が０であれば、スイッチ検出処理を終了し、制御状態を保存するための処理である電力供給停止時処理に移行する。
【０２３８】
所定期間計測用カウンタの値が０になっていなければ、賞球カウントスイッチオン中であるか否か確認する（ステップＳ７６５）。オン中であれば、検出期間用カウンタの値を１減らした後（ステップＳ７６６）、検出期間用カウンタの値が０になったか否か確認する（ステップＳ７６７）。０になっていれば、入力ポートを介して賞球カウントスイッチ３０１Ａの検出信号を確認し（ステップＳ７６８）、オン状態を示していれば、賞球カウントスイッチ３０１Ａが確実にオンしたとして、総合個数記憶の値を１減らす（ステップＳ７６９）。
【０２３９】
ステップＳ７６５で、賞球カウントスイッチオン中でないことを確認したら、入力ポートを介して賞球カウントスイッチ３０１Ａの検出信号を確認し（ステップＳ７７０）、オン状態を示していれば、賞球カウントスイッチＯＮ中フラグをセットするとともに（ステップＳ７７１）、検出期間用カウンタに初期値ｎをセットする（ステップＳ７７２）。
【０２４０】
以上の処理によって、所定期間内に賞球カウントスイッチ３０１Ａがオンしたら、総合個数記憶の値が−１される。バックアップＲＡＭの内容を保存するための処理は、このようなスイッチ検出処理の後で行われるので、払出が完了した賞球について、必ず総合個数記憶が−１される。従って、遊技球の払出に関して、保存される制御状態に矛盾が生じてしまうことが防止される。また、上記のスイッチ検出処理では、検出期間用カウンタを用いたタイマ処理が施されている。すなわち、一度賞球カウントスイッチ３０１Ａのオンが検出された後、所定時間（Ｓ７６３からＳ７６７に至りＳ７６３に戻るループにおける処理時間のｎ倍）の経過後にもオンが検出されないとスイッチオンと見なされない。従って、誤ってスイッチオン検出がなされてしまうことは防止される。
【０２４１】
なお、通常時のスイッチ処理（図３４におけるステップＳ７５１）でも、誤検出防止用のタイマ処理が施されている。よって、そのような通常時のスイッチ処理をコールするようにしてもよい。また、ここでは、検出期間用カウンタを用いたタイマ処理が行われたが、所定期間の計測の場合にＣＰＵ内蔵タイマを用いてもよいのと同様、ＣＰＵ内蔵タイマを用いてスイッチ検出処理におけるタイマ処理を実現してもよい。
【０２４２】
賞球カウントスイッチオン中でなく、かつ、賞球カウントスイッチ３０１Ａのオン状態が検出できない場合には、球貸しカウントスイッチ３０１Ｂについてスイッチ検出処理を行う。すなわち、払出制御用ＣＰＵ３７１は、球貸しカウントスイッチオン中であるか否か確認する（ステップＳ７７５）。オン中であれば、検出期間用カウンタの値を１減らした後（ステップＳ７７６）、検出期間用カウンタの値が０になったか否か確認する（ステップＳ７７７）。０になっていれば、入力ポートを介して球貸しカウントスイッチ３０１Ｂの検出信号を確認し（ステップＳ７７８）、オン状態を示していれば、球貸しカウントスイッチ３０１Ｂが確実にオンしたとして、貸し球個数記憶の値を１減らす（ステップＳ７７９）。
【０２４３】
ステップＳ７７５で、球貸しカウントスイッチオン中でないことを確認したら、入力ポートを介して球貸しカウントスイッチ３０１Ｂの検出信号を確認し（ステップＳ７８０）、オン状態を示していれば、球貸しカウントスイッチＯＮ中フラグをセットするとともに（ステップＳ７８１）、検出期間用カウンタに初期値ｎをセットする（ステップＳ７８２）。
【０２４４】
以上の処理によって、所定期間内に球貸しカウントスイッチ３０１Ｂがオンしたら、貸し球個数記憶の値が−１される。バックアップＲＡＭの内容を保存するための処理は、このようなスイッチ検出処理の後で行われるので、払出が完了した貸し球について、必ず貸し球個数記憶が−１される。従って、遊技球の払出に関して、保存される制御状態に矛盾が生じてしまうことが防止される。また、上記のスイッチ検出処理では、検出期間用カウンタを用いたタイマ処理が施されている。すなわち、球貸しカウントスイッチ３０１Ｂのオンが所定時間以上継続しないとスイッチオンと見なされない。従って、誤ってスイッチオン検出がなされてしまうことは防止される。
【０２４５】
所定期間が経過すると（ステップＳ７６４）、払出制御用ＣＰＵ３７１は、バックアップあり指定値（この例では「５５Ｈ」）をバックアップフラグにストアする（ステップＳ８０９）。バックアップフラグはバックアップＲＡＭ領域に形成されている。
【０２４６】
次いで、主基板３１のＣＰＵ５６の処理と同様の処理を行ってパリティデータを作成しバックアップＲＡＭ領域に保存する（ステップＳ８１０〜Ｓ８１９）。
【０２４７】
パリティデータを作成してバックアップＲＡＭ領域に保存すると、払出制御用ＣＰＵ３７１は、ＲＡＭアクセスレジスタにアクセス禁止値を設定する（ステップＳ８２０）。以後、内蔵ＲＡＭのアクセスができなくなる。
【０２４８】
さらに、払出制御用ＣＰＵ３７１は、クリアデータ（００）を適当なレジスタにセットし（ステップＳ８２１）、処理数（この例では「３」）を別のレジスタにセットする（ステップＳ８２２）。また、出力ポートＣのアドレス（この例では「００Ｈ」）をＩＯポインタに設定する（ステップＳ８２３）。ＩＯポインタとして、さらに別のレジスタが用いられる。
【０２４９】
そして、ＩＯポインタが指すアドレスにクリアデータをセットするとともに（ステップＳ８２４）、ＩＯポインタの値を１増やし（ステップＳ８２５）、処理数の値を１減算する（ステップＳ８２７）。ステップＳ８２４〜Ｓ８２６の処理が、処理数の値が０になるまで繰り返される。その結果、全ての出力ポートＣ〜Ｅ（図３３参照）にクリアデータが設定される。図３２に示すように、この例では、「１」がオン状態であり、クリアデータである「００」が各出力ポートにセットされるので、全ての出力ポートがオフ状態になる。
【０２５０】
従って、遊技状態を保存するための処理（この例では、チェックサムの生成およびＲＡＭアクセス防止）が実行された後、各出力ポートは直ちにオフ状態になる。なお、この実施の形態では、払出制御処理において用いられるデータが格納されるＲＡＭ領域は全て電源バックアップされている。従って、その内容が正しく保存されているか否かを示すチェックサムの生成処理、およびその内容を書き換えないようにするためのＲＡＭアクセス防止処理が、払出制御状態を保存するための処理に相当する。
【０２５１】
以上のように、この実施の形態では、停電等の発生に応じて電源断信号が出力されたら、まず、球払出装置９７の駆動を停止した後、所定期間、払出検出手段からの検出信号の入力処理が実行され、その後、払出制御状態を保存するための処理が行われる。従って、停電発生時に払出途中であった遊技球も、バックアップＲＡＭの保存内容に反映される。
【０２５２】
すなわち、この実施の形態では、遊技機への電力供給停止時に制御状態をバックアップ記憶手段に保存するように構成した場合に、制御の矛盾等を生じさせないようにすることができる。
【０２５３】
なお、振分ソレノイド３１０の出力ポート以外の出力ポートのクリア処理を、スイッチ検出処理の実行前（ステップＳ７６１の前）に行ってもよい。電力供給停止時処理の実行中では、払出制御用ＣＰＵ３７１やスイッチ類はコンデンサの充電電力等で駆動されることになる。出力ポートのクリア処理をスイッチ検出処理の実行前に行った場合には、コンデンサの充電電力等を電力供給停止時処理のために効率的に使用することができる。
【０２５４】
出力ポートに対するクリア処理が完了すると、払出制御用ＣＰＵ３７１は、待機状態（ループ状態）に入る。従って、システムリセットされるまで、何もしない状態になる。
【０２５５】
なお、ここでは、賞球カウントスイッチ３０１Ａまたは球貸しカウントスイッチ３０１Ｂの検出信号がオン状態を示したらタイマ（検出期間用カウンタ）をセットし、タイマがタイムアップしたときにも検出信号がオン状態を示していたら、スイッチが確実にオンしたと判定したが、主基板３１のＣＰＵ５６と同様に、２ｍｓのタイマ（２ｍｓ計測用カウンタ）がタイムアップする毎に検出信号の判定を行うように構成してもよい。
【０２５６】
また、この実施の形態でも、電源断信号に応じて起動される処理の最初にレジスタの保存処理が行われたが、スイッチ検出処理においてレジスタを使用しない場合には、スイッチ検出処理の実行後に、すなわち、バックアップフラグの設定とチェックサムの算出の処理の前にレジスタ保存処理を行うことができる。その場合には、レジスタ保存処理、バックアップフラグ設定処理、チェックサム算出処理および出力ポートのオフ設定処理を電力供給停止時処理と見なすことができる。さらに、スイッチ検出処理において幾つかのレジスタを使用する場合であっても、使用しないレジスタについては、バックアップフラグの設定とチェックサムの算出の処理の前にレジスタ保存処理を行うことができる。
【０２５７】
なお、払出制御用ＣＰＵ３７１についても、電源基板９１０のリセット信号回路９５０からシステムリセット信号が供給されているので、主基板３１のＣＰＵ５６の場合と同様に、ＣＰＵに対して最初にリセット解除を示すレベルを与えるタイミングを、電源電圧がＣＰＵの動作保証電圧になった時点とすることも保証される。
【０２５８】
また、図３０に示された主基板３１におけるタイミングと同様に、電源電圧が低下し、ＶSLの電圧値が電源断信号出力レベル（この例では＋２２Ｖ）まで低下すると電源断信号が発生する。具体的には、電源断信号がローレベルになる。その状況で、払出制御用ＣＰＵ３７１は、電力供給停止時処理の実行を開始し、その処理が終了すると、何の制御もしないループ状態（待機状態）に入る。そして、ＶSLの電圧レベルが短期間低下した後に復旧したような場合には、電源基板９１０に搭載されているカウンタ９７１がカウントアップして復帰信号が発生する。復帰信号は払出制御用ＣＰＵ３７１のリセット端子に入力されるので、払出制御用ＣＰＵ３７１はループ状態から抜け出すことができる。
【０２５９】
また、電源断信号がオン（この例ではハイレベルからローレベルに変化）するあたりで賞球払出が実行された場合、払出検出手段からの検出信号の入力処理が実行される所定期間内で賞球カウントスイッチ３０１Ａがオンする。従って、電源断信号がオンするあたりで実行された球払出についても、電力供給停止時処理が実行される際に、払出制御手段はバックアップＲＡＭ（総合個数記憶）の内容に反映することができる。
【０２６０】
そして、図９や図１３に示されたように電源基板９１０には遅延回路９６０が搭載されているので、電源投入時には、電源基板９１０から各電気部品制御基板に与えられるリセット信号のうち主基板３１に与えられるリセット信号が最後に立ち上がる。従って、遊技制御手段は、他の電気部品制御手段よりも遅く制御可能状態になる。その結果、各電気部品制御手段は遊技制御手段からのコマンドを確実に受信することができる。
【０２６１】
なお、上記の各実施の形態のパチンコ遊技機１は、始動入賞にもとづいて可変表示部９に可変表示される特別図柄の停止図柄が所定の図柄の組み合わせになると所定の遊技価値が遊技者に付与可能になる第１種パチンコ遊技機であったが、始動入賞にもとづいて開放する電動役物の所定領域への入賞があると所定の遊技価値が遊技者に付与可能になる第２種パチンコ遊技機や、始動入賞にもとづいて可変表示される図柄の停止図柄が所定の図柄の組み合わせになると開放する所定の電動役物への入賞があると所定の権利が発生または継続する第３種パチンコ遊技機であっても、本発明を適用できる。
【０２６２】
また、パチンコ遊技機に限られず、スロット機等においても、何らかの動作をする電気部品が備えられている場合などには本発明を適用することができる。
【０２６３】
【発明の効果】
以上のように、本発明によれば、遊技機を、リセット手段が、マイクロコンピュータに供給される電源がマイクロコンピュータが動作可能な電圧レベル以上の電圧レベルとなったことを条件にマイクロコンピュータを起動させるリセット解除信号を出力し、遊技制御用マイクロコンピュータおよび払出制御用マイクロコンピュータが、リセット手段からのリセット解除信号の入力にもとづいて動作可能状態となり、払出制御用マイクロコンピュータが動作可能状態となる時期よりも遅い時期に遊技制御用マイクロコンピュータが動作可能状態となるように構成したので、遊技機の電源投入時に確実にマイクロコンピュータが起動し、払出制御用マイクロコンピュータが遊技制御用マイクロコンピュータからのコマンドを確実に受信することができる効果がある。
【０２６４】
リセット手段が電源基板に搭載されている場合には、一の基板から各マイクロコンピュータに対してリセット解除信号を供給することができるので、部品数を削減することができる。
【０２６７】
払出制御用マイクロコンピュータが、電力供給停止時信号が出力された場合に、遊技媒体検出手段による払出手段から払い出された遊技媒体を検出する払出検出処理を所定期間実行した後、制御状態の保存に関わる電力供給停止時処理を行うように構成されている場合には、例えば電力供給停止直前に払出装置が払出を行ったにもかかわらず払い出された遊技媒体が検知されず、保存される残払出数と現実の残払出数とが整合しなくなってしまうようなことは確実に防止される。
【０２６８】
遊技機への電力供給が停止しても、所定期間において遊技媒体検出手段を駆動可能な電力を供給可能な補助駆動電源を備えている場合には、払出検出処理が行われる所定期間において、払出装置から払い出されている遊技媒体が検出されなくなる事態が生じてしまうことはない。
【０２６９】
遊技制御用マイクロコンピュータおよび払出制御用マイクロコンピュータが、電力供給停止時処理を行った後に待機状態となり、電力供給停止時信号が出力された後の所定の待機期間経過後に電力供給が停止していない場合に待機状態から復帰させるための復帰信号を遊技制御用マイクロコンピュータおよび払出制御用マイクロコンピュータに向けて出力可能な復帰信号出力手段を備えるように構成されている場合には、復帰信号によってマイクロコンピュータを制御実行状態に復帰させることが可能になり、その結果、ごく短時間で復旧する電源の瞬断等が生じても制御に支障を来すことがない。
【０２７０】
復帰信号は、マイクロコンピュータのリセット信号入力部に入力される場合には、マイクロコンピュータを制御実行状態にさせるための構成を簡略化することができる。
【０２７１】
復帰信号出力手段からの復帰信号は払出制御用マイクロコンピュータに出力された後に遊技制御用マイクロコンピュータに出力されるように構成されている場合には、復帰信号による各マイクロコンピュータの復帰順序を適切に設定することができ、例えば、復帰直後に遊技制御用マイクロコンピュータから他のマイクロコンピュータに指令信号を送信するような場合に、容易に、受信側のマイクロコンピュータが指令信号を取りこぼさないように構成することができる。
【図面の簡単な説明】
【図１】  パチンコ遊技機を正面からみた正面図である。
【図２】  パチンコ遊技機の裏面に設けられている各基板を示す説明図である。
【図３】  パチンコ遊技機の機構盤を背面からみた背面図である。
【図４】  機構板に設置されている中間ベースユニット周りの構成を示す正面図である。
【図５】  球払出装置を示す分解斜視図である。
【図６】  遊技制御基板（主基板）の回路構成を示すブロック図である。
【図７】  払出制御基板および球払出装置の構成要素などの賞球に関連する構成要素を示すブロック図である。
【図８】  電源基板の一構成例を示すブロック図である。
【図９】  リセット管理回路の構成例を示すブロック図である。
【図１０】  主基板におけるＣＰＵ周りの一構成例を示すブロック図である。
【図１１】  電源投入時のリセット信号の様子を示すタイミング図である。
【図１２】  リセットＩＣ６５１の出力信号例を示すタイミング図である。
【図１３】  リセット管理回路の他の構成例を示すブロック図である。
【図１４】  主基板におけるＣＰＵが実行するメイン処理を示すフローチャートである。
【図１５】  バックアップフラグと遊技状態復旧処理を実行するか否かとの関係の一例を示す説明図である。
【図１６】  チェックサムのチェック例を示すフローチャートである。
【図１７】  ２ｍｓタイマ割込処理を示すフローチャートである。
【図１８】  遊技状態復旧処理の一例を示すフローチャートである。
【図１９】  出力ポートのビット割り当ての一例を示す説明図である。
【図２０】  出力ポートのビット割り当ての一例を示す説明図である。
【図２１】  入力ポートのビット割り当ての一例を示す説明図である。
【図２２】  ＲＡＭにおけるスイッチタイマの形成例を示す説明図である。
【図２３】  スイッチ処理の一例を示すフローチャートである。
【図２４】  スイッチチェック処理の一例を示すフローチャートである。
【図２５】  入力判定値テーブルの構成例を示す説明図である。
【図２６】  遊技制御手段におけるマスク不能割込処理を示すフローチャートである。
【図２７】  遊技制御手段におけるマスク不能割込処理を示すフローチャートである。
【図２８】  遊技制御手段におけるマスク不能割込処理を示すフローチャートである。
【図２９】  バックアップパリティデータ作成方法を説明するための説明図である。
【図３０】  電力供給停止時の遊技機の動作を説明するためのタイミング図である。
【図３１】  払出制御用ＣＰＵ周りの一構成例を示すブロック図である。
【図３２】  出力ポートのビット割り当ての一例を示す説明図である。
【図３３】  入力ポートのビット割り当ての一例を示す説明図である。
【図３４】  払出制御基板におけるＣＰＵが実行するメイン処理を示すフローチャートである。
【図３５】  ２ｍｓタイマ割込処理を示すフローチャートである。
【図３６】  払出制御手段におけるＲＡＭの一構成例を示す説明図である。
【図３７】  払出制御手段におけるマスク不能割込処理を示すフローチャートである。
【図３８】  払出制御手段におけるマスク不能割込処理を示すフローチャートである。
【図３９】  払出制御手段におけるマスク不能割込処理を示すフローチャートである。
【符号の説明】
３１      遊技制御基板（主基板）
３７      払出制御基板
５６      ＣＰＵ
９７      球払出装置
３０１Ａ  賞球カウントスイッチ
３０１Ｂ  球貸しカウントスイッチ
３１０    振分ソレノイド
３１１    振分部材
３７１    払出制御用ＣＰＵ
９１０    電源基板
【図１】
0003760402.tif 000002
【図２】
0003760402.tif 000003
【図３】
0003760402.tif 000004
【図４】
0003760402.tif 000005
【図５】
0003760402.tif 000006
【図６】
0003760402.tif 000007
【図７】
0003760402.tif 000008
【図８】
0003760402.tif 000009
【図９】
0003760402.tif 000010
【図１０】
0003760402.tif 000011
【図１１】
0003760402.tif 000012
【図１２】
0003760402.tif 000013
【図１３】
0003760402.tif 000014
【図１４】
0003760402.tif 000015
【図１５】
0003760402.tif 000016
【図１６】
0003760402.tif 000017
【図１７】
0003760402.tif 000018
【図１８】
0003760402.tif 000019
【図１９】
0003760402.tif 000020
【図２０】
0003760402.tif 000021
【図２１】
0003760402.tif 000022
【図２２】
0003760402.tif 000023
【図２３】
0003760402.tif 000024
【図２４】
0003760402.tif 000025
【図２５】
0003760402.tif 000026
【図２６】
0003760402.tif 000027
【図２７】
0003760402.tif 000028
【図２８】
0003760402.tif 000029
【図２９】
0003760402.tif 000030
【図３０】
0003760402.tif 000031
【図３１】
0003760402.tif 000032
【図３２】
0003760402.tif 000033
【図３３】
0003760402.tif 000034
【図３４】
0003760402.tif 000035
【図３５】
0003760402.tif 000036
【図３６】
0003760402.tif 000037
【図３７】
0003760402.tif 000038
【図３８】
0003760402.tif 000039
【図３９】
0003760402.tif 000040